(57)【特許請求の範囲】
【請求項１】
１以上の負荷装置による電気の利用を管理する管理装置であって、
予め定められたイベントを検知するイベント検知部と、
前記イベント検知部が前記予め定められたイベントを検知した場合に、電力供給者から供給される電力を前記１以上の負荷装置に供給する分電装置から、前記１以上の負荷装置に供給される電力を制限することを指示する制限信号を、前記分電装置又は前記分電装置を制御する制御装置に送信する制限信号送信部と、
を備え、
前記予め定められたイベントは、前記管理装置に異常が生じていること、予め定められた期間における前記１以上の負荷装置の少なくとも１つによる消費電力量が予め定められた値より大きいこと、及び、予め定められた期間に前記１以上の負荷装置の少なくとも１つにより消費された電気の料金が予め定められた金額より大きいことの少なくとも１つを含み、
前記制限信号は、前記分電装置から前記１以上の負荷装置に供給される総電流の上限値を設定するための設定信号を含み、
前記総電流の上限値は、前記予め定められたイベントに応じて設定される、
管理装置。
【請求項２】
前記管理装置への電力の供給が遮断されたことを検出する遮断検出部と、
前記遮断検出部が、前記電力供給者から前記管理装置への電力の供給が遮断されたことを検出した場合に、前記管理装置に電力を供給する電源と、
を備える、
請求項１に記載の管理装置。
【請求項３】
前記予め定められたイベントは、前記管理装置に異常が生じていることを含み、
前記管理装置に異常が生じている状態は、前記管理装置への電力の供給が遮断された状態、前記管理装置の電源がＯＮになっていない状態、前記管理装置のセキュリティに異常が発生した状態、前記管理装置の設置された地域に予め定められた種類の災害が発生する恐れがある状態、及び、前記管理装置の通信に異常が発生した状態、前記管理装置から出力されるデータに異常が発生した状態の少なくとも１つを含む、
請求項１又は請求項２に記載の管理装置。
【請求項４】
前記管理装置は、ＨＥＭＳを制御するための機器であり、
前記制御装置は、スマートメータである、
請求項１から請求項３までの何れか一項に記載の管理装置。
【請求項５】
１以上の前記制限信号の中から、前記予め定められたイベントに応じた制限信号を選択する制限信号選択部をさらに備え、
前記制限信号送信部は、前記制限信号選択部により選択された制限信号を、前記分電装置又は前記制御装置に送信する、
請求項１から請求項４までの何れか一項に記載の管理装置。
【請求項６】
前記管理装置の認証情報を取得する認証情報取得部と、
前記認証情報取得部が前記認証情報を取得した場合に、前記分電装置から前記１以上の負荷装置に供給される電力に関する制限を解除することを指示する解除信号を、前記分電装置又は前記制御装置に送信する解除信号送信部と、
をさらに備える、
請求項１から請求項５までの何れか一項に記載の管理装置。
【請求項７】
請求項１から請求項６までの何れか一項に記載の管理装置と、
前記分電装置又は前記制御装置と、
を備える、管理システム。
【請求項８】
複数の電力供給装置又は複数の電力供給者から供給され、１以上の負荷装置により消費される電力量を計測する電力量計により計測される消費電力量の少なくとも一部を、前記複数の電力供給装置のうちの第１の電力供給装置又は前記複数の電力供給者のうちの第１の電力供給者により提供されるものとみなす見做し処理を開始するか否かを決定する開始決定部と、
前記見做し処理を終了するか否かを決定する終了決定部と、
前記１以上の負荷装置による電気の利用又は前記電力量計を管理する管理装置と、
前記電力量計又は前記管理装置に対して、前記見做し処理が開始されてから前記見做し処理が終了されるまでの期間における、前記１以上の負荷装置の消費電力量を決定するための処理を実行させるための要求を送信する要求送信部と、
を備え、
前記管理装置は、
予め定められたイベントを検知するイベント検知部と、
前記イベント検知部が前記予め定められたイベントを検知した場合に、電力供給者から供給される電力を前記１以上の負荷装置に供給する分電装置から、前記１以上の負荷装置に供給される電力を制限することを指示する制限信号を、前記分電装置又は前記分電装置を制御する制御装置に送信する制限信号送信部と、
を有し、
前記予め定められたイベントは、前記管理装置に異常が生じていること、予め定められた期間における前記１以上の負荷装置の少なくとも１つによる消費電力量が予め定められた値より大きいこと、及び、予め定められた期間に前記１以上の負荷装置の少なくとも１つにより消費された電気の料金が予め定められた金額より大きいことの少なくとも１つを含み、
前記開始決定部は、前記第１の電力供給装置又は前記第１の電力供給者により提供可能な電力又は電力量の予測値に基づいて、前記見做し処理を開始するか否かを決定し、
前記複数の電力供給装置のそれぞれは、発電設備、蓄電設備、又はこれらの組み合わせである、
管理システム。
【請求項９】
請求項１から請求項６までの何れか一項に記載の管理装置と、
複数の電力供給装置又は複数の電力供給者から供給され、１以上の負荷装置により消費される電力量を計測する電力量計により計測される消費電力量の少なくとも一部を、前記複数の電力供給装置のうちの第１の電力供給装置又は前記複数の電力供給者のうちの第１の電力供給者により提供されるものとみなす見做し処理を開始するか否かを決定する開始決定部と、
前記見做し処理を終了するか否かを決定する終了決定部と、
前記電力量計又は前記管理装置に対して、前記見做し処理が開始されてから前記見做し処理が終了されるまでの期間における、前記１以上の負荷装置の消費電力量を決定するための処理を実行させるための要求を送信する要求送信部と、
を備え、
前記開始決定部は、前記第１の電力供給装置又は前記第１の電力供給者により提供可能な電力又は電力量の予測値に基づいて、前記見做し処理を開始するか否かを決定し、
前記複数の電力供給装置のそれぞれは、発電設備、蓄電設備、又はこれらの組み合わせである、
管理システム。
【請求項１０】
前記開始決定部は、前記電力量計のユーザが予め定められた商品又はサービスのユーザである場合に、前記電力量計により計測される消費電力量の少なくとも一部が前記第１の電力供給装置又は前記第１の電力供給者により提供されるものとして扱われる確率、及び、前記第１の電力供給装置又は前記第１の電力供給者により提供されるものとして扱われる消費電力量の少なくとも一方が大きくなるように、前記見做し処理を開始するか否かを決定する、
請求項８又は請求項９に記載の管理システム。
【請求項１１】
通信ネットワークを介して、電源がＯＮになっている１以上の負荷装置又は前記１以上の負荷装置の電力消費状況を管理する管理装置から、前記１以上の負荷装置のそれぞれの識別情報を取得する情報取得部と、
前記第１の電力供給装置又は前記第１の電力供給者により提供可能な電力又は電力量に基づいて、前記識別情報により識別される前記１以上の負荷装置の中から、前記第１の電力供給装置又は前記第１の電力供給者により電気を提供されるものとして扱われうる少なくとも１つの負荷装置を選定する選定部と、
をさらに備え、
前記開始決定部は、さらに、
前記電力量計の見做し処理が実施されている場合、前記選定部により選定された負荷装置のうち、前記電力量計により消費電力量を計測されていない負荷装置の少なくとも１つにおいて消費される電力又は電力量を、前記第１の電力供給装置又は前記第１の電力供給者により提供されるものとして扱うことを決定し、
前記電力量計の見做し処理が実施されていない場合、前記選定部により選定された負荷装置の少なくとも１つにおいて消費される電力又は電力量を、前記第１の電力供給装置又は前記第１の電力供給者により提供されるものとして扱うことを決定する、
請求項８から請求項１０までの何れか一項に記載の管理システム。
【請求項１２】
コンピュータを、請求項１から請求項６までの何れか一項に記載の管理装置として機能させるためのプログラム。
【請求項１３】
１以上の負荷装置による電気の利用を管理する管理方法であって、
予め定められたイベントを検知するイベント検知段階と、
前記イベント検知段階において前記予め定められたイベントが検知された場合に、電力供給者から供給される電力を前記１以上の負荷装置に供給する分電装置から、前記１以上の負荷装置に供給される電力を制限することを指示する制限信号を、前記分電装置又は前記分電装置を制御する制御装置に送信する制限信号送信段階と、
を備え、
前記予め定められたイベントは、前記１以上の負荷装置による電気の利用を管理する管理装置に異常が生じていること、予め定められた期間における前記１以上の負荷装置の少なくとも１つによる消費電力量が予め定められた値より大きいこと、及び、予め定められた期間に前記１以上の負荷装置の少なくとも１つにより消費された電気の料金が予め定められた金額より大きいことの少なくとも１つを含み、
前記制限信号は、前記分電装置から前記１以上の負荷装置に供給される総電流の上限値を設定するための設定信号を含み、
前記総電流の上限値は、前記予め定められたイベントに応じて設定される、
管理方法。
【発明の詳細な説明】
【技術分野】
【０００１】
本発明は、管理装置、管理システム、プログラム及び管理方法に関する。
【背景技術】
【０００２】
電気機器の消費電力量を管理するコントローラからの信号に基づいて、当該電気機器が消費電力量を調整するシステムが知られている（例えば、特許文献１〜４参照）。
［先行技術文献］
［特許文献］
［特許文献１］特表２０１３−５１３３５３号公報
［特許文献２］特開２００２−３６９３８５号公報
［特許文献３］特開２０１３−１８３５８３号公報
［特許文献４］特開２０１２−０２３８２４号公報
【発明の概要】
【発明が解決しようとする課題】
【０００３】
従来のシステムによれば、電力供給者から供給される電力を電気機器に供給する分電装置を制御することができない。
【課題を解決するための手段】
【０００４】
本発明の第１の態様においては、１以上の負荷装置による電気の利用を管理する管理装置が提供される。上記の管理装置は、予め定められたイベントを検知するイベント検知部と、イベント検知部が予め定められたイベントを検知した場合に、電力供給者から供給される電力を１以上の負荷装置に供給する分電装置から、１以上の負荷装置に供給される電力を制限することを指示する制限信号を、分電装置又は分電装置を制御する制御装置に送信する制限信号送信部とを備えてよい。上記の管理装置において、予め定められたイベントは、管理装置に異常が生じていること、予め定められた期間における１以上の負荷装置の少なくとも１つによる消費電力量が予め定められた値より大きいこと、及び、予め定められた期間に１以上の負荷装置の少なくとも１つにより消費された電気の料金が予め定められた金額より大きいことの少なくとも１つを含んでよい。
【０００５】
上記の管理装置は、管理装置への電力の供給が遮断されたことを検出する遮断検出部を備えてよい。上記の管理装置は、遮断検出部が電力供給者から管理装置への電力の供給が遮断されたことを検出した場合に、管理装置に電力を供給する電源を備えてよい。上記の管理装置において、制限信号は、分電装置から１以上の負荷装置への電力の供給を停止するための停止信号、及び、分電装置から１以上の負荷装置に供給される総電流の上限値を設定するための設定信号の少なくとも一方を含んでよい。上記の管理装置において、総電流の上限値は、予め定められたイベントに応じて設定されてよい。
【０００６】
上記の管理装置は、１以上の制限信号の中から、予め定められたイベントに応じた制限信号を選択する制限信号選択部を備えてよい。上記の管理装置において、制限信号送信部は、制限信号選択部により選択された制限信号を、分電装置又は制御装置に送信してよい。上記の管理装置は、管理装置の認証情報を取得する認証情報取得部を備えてよい。上記の管理装置は、認証情報取得部が認証情報を取得した場合に、分電装置から１以上の負荷装置に供給される電力に関する制限を解除することを指示する解除信号を、分電装置又は制御装置に送信する解除信号送信部を備えてよい。
【０００７】
本発明の第２の態様においては、上記の管理装置と、分電装置又は制御装置とを備える管理システムが提供される。
【０００８】
本発明の第３の態様においては、コンピュータを、上記の管理装置として機能させるためのプログラムが提供される。コンピュータを、上記の管理装置として機能させるためのプログラムを記録したコンピュータ読み取り可能な記録媒体が提供されてもよい。
【０００９】
本発明の第４の態様においては、１以上の負荷装置による電気の利用を管理する管理方法が提供される。上記の管理方法は、予め定められたイベントを検知するイベント検知段階を有する。上記の管理方法は、イベント検知段階において予め定められたイベントが検知された場合に、電力供給者から供給される電力を１以上の負荷装置に供給する分電装置から、１以上の負荷装置に供給される電力を制限することを指示する制限信号を、分電装置又は分電装置を制御する制御装置に送信する制限信号送信段階を有する。上記の管理方法において、予め定められたイベントは、管理装置に異常が生じていること、予め定められた期間における１以上の負荷装置の少なくとも１つによる消費電力量が予め定められた値より大きいこと、及び、予め定められた期間に１以上の負荷装置の少なくとも１つにより消費された電気の料金が予め定められた金額より大きいことの少なくとも１つを含んでよい。
【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】管理システム１００の一例を概略的に示す。
【図２】管理サーバ１２２の一例を概略的に示す。
【図３】電力提供管理部２１６の一例を概略的に示す。
【図４】配信部２２８の一例を概略的に示す。
【図５】需要者端末１５２の一例を概略的に示す。
【図６】データテーブル６００の一例を概略的に示す。
【図７】データテーブル７００の一例を概略的に示す。
【図８】データテーブル８００の一例を概略的に示す。
【図９】データテーブル９００の一例を概略的に示す。
【図１０】データテーブル１０００の一例を概略的に示す。
【図１１】管理サーバ１２２における処理の一例を概略的に示す。
【図１２】データテーブル１２００の一例を概略的に示す。
【図１３】イベント監視部５２２の一例を概略的に示す。
【図１４】制御信号送信部５２４の一例を概略的に示す。
【図１５】認証情報取得部５３２の一例を概略的に示す。
【図１６】データテーブル１６００の一例を概略的に示す。
【図１７】需要者端末１５２の認証処理の一例を概略的に示す。
【図１８】データテーブル１８００の一例を概略的に示す。
【発明を実施するための形態】
【００１２】
以下、発明の実施の形態を通じて本発明の一側面を説明するが、以下の実施形態は特許請求の範囲にかかる発明を限定するものではない。また、実施形態の中で説明されている特徴の組み合わせの全てが発明の解決手段に必須であるとは限らない。なお、図面において、同一又は類似の部分には同一の参照番号を付して、重複する説明を省く場合がある。また、本願明細書において、「時間」という用語は、時刻を表す場合もあれば、期間を表す場合もある。
【００１３】
図１は、管理システム１００の一例を概略的に示す。図１において、供給者サイト１０２は、発電事業者、売電事業者などの電力供給者の敷地を示す。需要者サイト１０４は、住宅、集合住宅、事業所、工場などの電力需要者の敷地を示す。本実施形態において、供給者サイト１０２には、管理サーバ１２２及び電力供給装置１２４が配される。また、需要者サイト１０４には、電気機器１３２と、電気機器１３４と、分電装置１４２と、電力量計１４４と、需要者端末１５２と、ゲートウェイ１５４とが配される。
【００１４】
本実施形態において、管理システム１００は、管理サーバ１２２及び需要者端末１５２を備える。管理サーバ１２２及び需要者端末１５２は、ハードウエアにより実現されてもよく、ソフトウエアにより実現されてもよく、ハードウエアとソフトウエアとの組み合わせにより実現されてもよい。
【００１５】
管理システム１００は、需要者端末１５２の認証処理を実行する認証サーバ２０をさらに備えてもよい。認証サーバ２０は、管理サーバ１２２と同様、ハードウエアにより実現されてもよく、ソフトウエアにより実現されてもよく、ハードウエアとソフトウエアとの組み合わせにより実現されてもよい。
【００１６】
認証サーバ２０は、例えば、電力量計１４４と需要者端末１５２との間の通信を確立するための認証情報を生成する。認証サーバ２０は、生成された識別情報を管理サーバ１２２、需要者端末１５２及び電力量計１４４の１以上に送信する。認証サーバ２０は、ユーザからの要求に基づいて、認証情報を生成してよい。認証サーバ２０は、例えば、管理サーバ１２２、需要者端末１５２、ユーザの携帯端末などを介して、ユーザからの要求を受け付ける。
【００１７】
認証情報は、認証ＩＤと、当該認証ＩＤに対応付けられたパスワードなどの暗証情報とを含んでよい。認証ＩＤは、１以上の電力量計１４４のそれぞれに一意に割り当てられた情報であってよい。電力量計１４４がスマートメータである場合、認証ＩＤは、Ｂルート認証ＩＤであってよい。Ｂルート認証ＩＤは、スマートメータＢルートの利用にあたって、電力量計１４４の設置者又は運用者においてユーザの確認又は識別に用いられる。
【００１８】
管理システム１００及び管理サーバ１２２のそれぞれは、電力管理システムの一例であってよい。電力量計１４４は、制御装置の一例であってよい。需要者端末１５２は、管理装置の一例であってよい。電気機器１３２及び電気機器１３４のそれぞれは、１以上の負荷装置の一例であってよい。
【００１９】
本実施形態において、管理サーバ１２２及び電力供給装置１２４が同一の敷地内に配される場合を例として、管理システム１００について説明する。しかし、管理システム１００は本実施形態には限定されない。他の実施形態において、管理サーバ１２２及び電力供給装置１２４が、別の敷地内に配されてもよい。
【００２０】
本実施形態において、管理サーバ１２２が、電力供給装置１２４により提供される電力又は電力量を管理する場合を例として、管理システム１００について説明する。しかし、管理サーバ１２２は本実施形態に限定されない。管理サーバ１２２は、複数の電力供給装置により供給される電力及び電力量の少なくとも一方（電力などと称する場合がある。）を管理してよい。管理サーバ１２２は、複数の電力供給者により供給される電力などを管理してよい。一実施形態において、管理サーバ１２２は、特定の電力供給者の特定の発電設備又は蓄電設備により供給される電力などと、当該特定の電力供給者の他の発電設備又は蓄電設備により供給される電力などとを管理する。他の実施形態において、管理サーバ１２２は、特定の電力供給者により提供される電力などと、他の電力供給者により提供される電力などとを管理する。管理サーバ１２２は、需要者サイト１０４に配された電気機器又は電力量計だけでなく、需要者サイト１０４以外の需要者サイトに配された電気機器又は電力量計を管理してもよい。
【００２１】
管理サーバ１２２は、通信ネットワーク１２を介して、需要者サイト１０４に配された設備との間で情報を送受する。通信ネットワーク１２としては、無線通信の伝送路、有線通信の伝送路及びこれらの組み合わせを例示することができる。通信ネットワーク１２は、携帯電話回線網などの移動体通信網、無線パケット通信網、インターネット及び専用回線又はこれらの組み合わせであってよい。管理サーバ１２２は、電力供給装置１２４との間で情報を送受してもよい。管理サーバ１２２は、専用回線を介して情報を送受してもよく、通信ネットワーク１２を介して情報を送受してもよい。
【００２２】
［負荷装置ごとの管理］
管理サーバ１２２は、１以上の需要者サイト１０４のそれぞれにおいて消費される電気の提供元を管理する。一実施形態において、管理サーバ１２２は、１以上の負荷装置のそれぞれについて、当該負荷装置により消費される電気の提供元を管理する。例えば、管理サーバ１２２は、特定の期間に電気機器１３２により消費される電気の提供元と、当該期間に電気機器１３４により消費される電気の提供元とを管理する。管理サーバ１２２は、電気機器１３２及び電気機器１３４のそれぞれにより消費された電力又は電力量のうち、電力供給装置１２４又は電力供給装置１２４を利用して電力を供給する電力供給者（電力供給装置１２４などと称する場合がある。）から供給されたものとして扱う電力又は電力量を記録することで、電気の提供元を管理してよい。
【００２３】
管理サーバ１２２は、例えば下記の手順により、１以上の負荷装置のそれぞれについて、当該負荷装置により消費される電気の提供元を管理する。電気機器１３２の電源がＯＮになると、電気機器１３２は、電気機器１３２の電源がＯＮになったことを示す情報を管理サーバ１２２に送信する。電気機器１３２は、上記の情報を、電気機器１３２の識別情報と対応づけて送信してよい。
【００２４】
管理サーバ１２２は、電気機器１３２からの上記の情報を受信した後、任意のタイミングにおいて、電気機器１３２を、電力供給装置１２４などから電気を提供されているものとして扱う見做し処理（電気機器１３２の見做し処理などと称する場合がある。）を開始するか否かを決定する。見做し処理が実施されている期間における電気機器１３２の消費電力又は消費電力量は、電力供給装置１２４などから提供されているものとして扱われる。
【００２５】
管理サーバ１２２は、電力供給装置１２４などにより提供可能な電力又は電力量に基づいて、見做し処理を開始するか否かを決定してよい。例えば、管理サーバ１２２は、電力供給装置１２４などにより供給することができる電力又は電力量の予測値と、１以上の需要者サイト１０４において消費される電力又は電力量の予測値とに基づいて、見做し処理を開始するか否かを決定する。管理サーバ１２２は、電力供給装置１２４などが供給している電力又は電力量の現在値、及び、１以上の需要者サイト１０４において消費されている電力又は電力量の現在値の少なくとも一方をさらに考慮して、見做し処理を開始するか否かを決定してもよい。管理サーバ１２２は、見做し処理を開始する時刻を決定してもよい。管理サーバ１２２は、電気機器１３２の見做し処理を開始することを決定した場合、当該見做し処理が開始される時刻を記録してよい。
【００２６】
同様にして、管理サーバ１２２は、任意のタイミングにおいて、見做し処理を終了するか否かを決定してよい。見做し処理が終了すると、電気機器１３２は、電力供給装置１２４などから電気を提供されているものとして扱われなくなる。
【００２７】
管理サーバ１２２は、電力供給装置１２４などにより提供可能な電力又は電力量に基づいて、見做し処理を終了するか否かを決定してよい。例えば、管理サーバ１２２は、電力供給装置１２４などにより供給することができる電力の予測値と、１以上の需要者サイト１０４において消費される電力の予測値とに基づいて、見做し処理を終了するか否かを決定する。管理サーバ１２２は、電力供給装置１２４などが供給している電力の現在値、及び、１以上の需要者サイト１０４において消費されている電力の現在値の少なくとも一方をさらに考慮して、見做し処理を終了するか否かを決定してもよい。管理サーバ１２２は、見做し処理を終了する時刻を決定してもよい。管理サーバ１２２は、電気機器１３２の見做し処理を終了することを決定した場合、当該見做し処理が終了される時刻を記録してよい。
【００２８】
例えば、１０時２５分になると、管理サーバ１２２は、１０時３０分から１０時５９分までの間に電力供給装置１２４により提供可能な電力量の予測値と、１０時３０分から１０時５９分までの間に管理サーバ１２２により管理されている電気機器のそれぞれにより消費される電力量の予測値とを取得する。
【００２９】
次に、管理サーバ１２２は、管理サーバ１２２により管理されている電気機器のそれぞれにより消費される電力量の予測値の総量が、電力供給装置１２４により提供可能な電力量の予測値を超えない範囲において、管理サーバ１２２により管理されている電気機器のそれぞれにより消費される電力量の予測値の総量と、電力供給装置１２４により提供可能な電力量の予測値との差が、予め定められた条件を満足するように、１０時３０分から１０時５９分までの間に見做し処理の対象となる電気機器を決定する。予め定められた条件としては、上記の差が最小になる、上記の差が予め定められた値よりも小さいなどの条件を例示することができる。
【００３０】
１０時３０分になると、管理サーバ１２２は、見做し処理を開始する。また、管理サーバ１２２は、１０時３０分における積算消費電力量を送信させるための要求を、見做し処理が開始された電気機器に送信する。管理サーバ１２２は、見做し処理が実行されている全ての電気機器に対して、上記の要求を送信してもよい。なお、この段階において、管理サーバ１２２は、１１時００分における積算消費電力量を送信させるための要求を、事前に送信しておいてもよい。
【００３１】
積算消費電力量を送信させるための要求には、送信時刻を指定する情報が含まれていてもよい。上記の送信時刻は、電気機器又は需要者端末によって異なる時刻が指定されていてもよい。管理サーバ１２２は、各電気機器に対する各種の要求を、当該電気機器を管理する需要者端末に送信して、当該要求に応じた処理を、需要者端末に実行させてもよい。
【００３２】
例えば、１０時５５分になると、管理サーバ１２２は、１１時００分から１１時２９分までの間に電力供給装置１２４により提供可能な電力量の予測値と、１１時００分から１１時２９分までの間に管理サーバ１２２により管理されている電気機器のそれぞれにより消費される電力量の予測値とを取得する。前回と同様にして、管理サーバ１２２は、１１時００分から１１時２９分までの間に見做し処理の対象となる電気機器を決定する。管理サーバ１２２は、１０時３０分から１０時５９分までの間に見做し処理の対象となっていた電気機器のうち、１１時００分から１１時２９分までの間に見做し処理の対象とならない電気機器に対する見做し処理を終了することを決定する。
【００３３】
なお、管理サーバ１２２は、１１時００分から１１時２９分までの間に見做し処理の対象となる電気機器のうち、１０時３０分から１０時５９分までの間に見做し処理の対象となっていなかった電気機器に対する見做し処理を開始することを決定してもよい。また、管理サーバ１２２は、１１時００分から１１時２９分までの間に見做し処理の対象となる電気機器のうち、１０時３０分から１０時５９分までの間に見做し処理の対象となっていた電気機器に対する見做し処理を継続することを決定してもよい。
【００３４】
１１時００分になると、管理サーバ１２２は、１１時００分から１１時２９分までの間に見做し処理の対象となる電気機器に対する見做し処理を開始する。管理サーバ１２２は、見做し処理を終了することが決定された電気機器の見做し処理を終了する。また、管理サーバ１２２は、１１時００分における積算消費電力量を送信させるための要求を、見做し処理が開始された電気機器に送信する。管理サーバ１２２は、見做し処理が実行されている全ての電気機器に対して、上記の要求を送信してもよい。なお、管理サーバ１２２は、見做し処理を継続することが決定された電気機器に対しては、１１時００分における積算消費電力量を送信させるための要求を送信しなくてもよい。
【００３５】
管理サーバ１２２は、１１時００分における積算消費電力量を送信させるための要求を、１１時００分に見做し処理が終了することが決定した電気機器又は当該電気機器を管理する需要者端末に送信する。管理サーバ１２２は、上記の要求を、１０時３０分から１０時５９分までの間に見做し処理の対象となっていたすべての電気機器又は当該電気機器を管理する需要者端末に送信してもよい。なお、管理サーバ１２２が、１１時００分における積算消費電力量を送信させるための要求を事前に送信していた場合に、管理サーバ１２２は、この段階で１１時００分における積算消費電力量を送信させるための要求を送信しなくてもよい。
【００３６】
管理サーバ１２２は、各電気機器又は各需要者端末から各時刻における積算消費電力量に関する情報を取得する。管理サーバ１２２は、取得された情報を利用して、各電気機器の見做し期間における消費電力量を算出する。例えば、管理サーバ１２２が、各電気機器の１０時３０分における積算消費電力量と、１１時００分における積算消費電力量とを取得する場合、管理サーバ１２２は、各電気機器の１１時００分における積算消費電力量から１０時３０分における積算消費電力量を引くことで、１０時３０分から１０時５９分までの間の各電気機器の消費電力量を算出する。
【００３７】
本実施形態において、管理サーバ１２２が、１０時３０分から見做し処理が開始される電気機器に対して、１０時３０分における積算消費電力量を送信させるための要求を１０時３０分に送信し、１１時００分に見做し処理が終了する電気機器に対して、１１時００分における積算消費電力量を送信させるための要求を１１時００分に送信することで、見做し期間における消費電力量を決定するための情報を取得する場合について説明した。しかし、見做し期間における消費電力量を決定するための処理は、本実施形態に限定されない。
【００３８】
他の実施形態において、管理サーバ１２２は、１０時３０分から１０時５９分までの間に見做し処理の対象となる電気機器又は当該電気機器を管理する需要者端末に対して、１０時３０分における積算消費電力量及び１１時００分における積算消費電力量を、１１時０５分に管理サーバ１２２に送信する処理を実行させるための要求を、１０時２５分に送信してもよい。上記の要求は、電気機器又は需要者端末に対して、１０時３０分における積算消費電力量を記憶する処理を実行させるための命令と、１１時００分における積算消費電力量を記憶する処理を実行させるための命令と、記憶している積算消費電力量を管理サーバ１２２に送信する処理とを実行させるための命令とを含んでもよい。他の実施形態において、管理サーバ１２２は、１１時００分に見做し処理が終了することを決定した電気機器又は当該電気機器を管理する需要者端末に対して、当該電気機器の見做し期間における消費電力量を、１１時０５分に管理サーバ１２２に送信する処理を実行させるための要求を、１０時５５分に送信してもよい。
【００３９】
［電力量計ごとの管理］
他の実施形態において、管理サーバ１２２は、電力量計により消費電力量を計測される１以上の負荷装置からなるグループごとに、当該１以上の負荷装置により消費される電気の提供元を管理する。例えば、特定の期間に、電力量計１４４により消費電力量を計測される電気機器１３２及び電気機器１３４からなるグループにより消費される電気の提供元と、当該期間に、他の電力量計により消費電力量を計測される１以上の電気機器からなるグループにより消費される電気の提供元とを区別して管理する。
【００４０】
本実施形態によれば、電力量計により計測される消費電力又は消費電力量と、当該電力量計への電気の提供元とを対応付けて管理する。本実施形態によれば、電力量計により計測される消費電力又は消費電力量のうち、電力供給装置１２４などから供給されたものとして扱う電力又は電力量を記録することで、電気の提供元を管理してよい。なお、本実施形態において、電力量計１４４により計測される消費電力又は消費電力量は、電気機器１３２及び電気機器１３４の両者により消費される電力又は電力量である。
【００４１】
他の実施形態において、管理サーバ１２２は、複数の負荷装置の一部について、電力量計により消費電力量を計測される１以上の負荷装置からなるグループごとに、当該１以上の負荷装置により消費される電気の提供元を管理してよい。また、管理サーバ１２２は、上記のグループに属さない負荷装置のそれぞれについて、当該負荷装置により消費される電気の提供元を管理してもよい。
【００４２】
管理サーバ１２２は、例えば下記の手順により、１以上の電力量計のそれぞれについて、当該電力量計により計測される消費電力又は消費電力量の電気の提供元を管理する。電力量計１４４の電源がＯＮになると、電力量計１４４は、電力量計１４４の電源がＯＮになったことを示す情報を管理サーバ１２２に送信する。電力量計１４４は、上記の情報を、電力量計１４４の識別情報と対応づけて送信してよい。
【００４３】
管理サーバ１２２は、電力量計１４４からの上記の情報を受信した後、任意のタイミングにおいて、電力量計１４４により計測される消費電力量の少なくとも一部を、電力供給装置１２４などにより提供されるものとして扱う見做し処理（電力量計１４４の見做し処理と称する場合がある。）を開始するか否かを決定する。見做し処理が実施されている期間において、電力量計１４４により消費電力量を計測される電気機器１３２及び電気機器１３４が、電力供給装置１２４などから電気を提供されているものとして扱われてよい。
【００４４】
管理サーバ１２２は、電力供給装置１２４などにより提供可能な電力又は電力量に基づいて、見做し処理を開始するか否かを決定してよい。例えば、管理サーバ１２２は、電力供給装置１２４などにより供給することができる電力又は電力量の予測値と、１以上の需要者サイト１０４において消費される電力又は電力量の予測値とに基づいて、見做し処理を開始するか否かを決定する。管理サーバ１２２は、電力供給装置１２４などが供給している電力又は電力量の現在値、及び、１以上の需要者サイト１０４において消費されている電力又は電力量の現在値の少なくとも一方をさらに考慮して、見做し処理を開始するか否かを決定してもよい。管理サーバ１２２は、見做し処理を開始する時刻を決定してもよい。管理サーバ１２２は、電気機器１３２の見做し処理を開始することを決定した場合、当該見做し処理が開始される時刻を記録してよい。
【００４５】
同様にして、管理サーバ１２２は、任意のタイミングにおいて、見做し処理を終了するか否かを決定してよい。見做し処理が終了すると、電力量計１４４により計測される消費電力量は、電力供給装置１２４などにより提供されるものとして扱われなくなる。また、見做し処理が終了すると、電力量計１４４により消費電力量を計測される電気機器１３２及び電気機器１３４は、電力供給装置１２４などから電気を提供されているものとして扱われなくなる。
【００４６】
管理サーバ１２２は、電力供給装置１２４などにより提供可能な電力又は電力量に基づいて、見做し処理を終了するか否かを決定してよい。例えば、管理サーバ１２２は、電力供給装置１２４などにより供給することができる電力又は電力量の予測値と、１以上の需要者サイト１０４において消費される電力又は電力量の予測値とに基づいて、見做し処理を終了するか否かを決定する。管理サーバ１２２は、電力供給装置１２４などが供給している電力又は電力量の現在値、及び、１以上の需要者サイト１０４において消費されている電力又は電力量の現在値の少なくとも一方をさらに考慮して、見做し処理を終了するか否かを決定してもよい。管理サーバ１２２は、見做し処理を終了する時刻を決定してもよい。管理サーバ１２２は、電気機器１３２の見做し処理を終了することを決定した場合、当該見做し処理が終了される時刻を記録してよい。管理サーバ１２２は、見做し期間における電気機器の消費電力量を決定するための処理を実行させるための要求と同様にして、見做し期間において電力量計により計測される消費電力量を決定するための処理を実行させるための要求を、当該電力量計又は当該電力量計を管理する需要者端末に送信してよい。
【００４７】
一般に、電力供給装置１２４などにより電力ネットワーク１４に供給された電力は、他の供給者サイトから供給される電力とともに需要者サイト１０４に送電される。そのため、現実には、電気機器１３２において消費される電気の供給者を特定することはできない。これに対して、本実施形態によれば、例えば、管理サーバ１２２において、電気機器１３２の見做し処理、又は、電力量計１４４により消費電力量を計測される電気機器の見做し処理が開始される時刻と、電気機器１３２の見做し処理、又は、電力量計１４４により消費電力量を計測される電気機器の見做し処理が終了する時刻とを記録しておくことで、電気機器１３２、又は、電力量計１４４により消費電力量を計測される電気機器において消費された電力量のうち、電力供給装置１２４などにより提供された電力量を特定することができる。
【００４８】
本実施形態によれば、複数の電力供給装置又は複数の電力供給者が、電力ネットワーク１４に電気を提供している場合であっても、電気機器１３２、又は、電力量計１４４により消費電力量を計測される電気機器への電力の提供元を論理的に切り替えることができる。これにより、（１）電力供給装置１２４若しくは電力供給装置１２４を利用して電力を供給する電力供給者から、電気機器１３２若しくは電力量計１４４により消費電力量を計測される電気機器に対して電気が提供されていた期間、又は、（２）当該期間において、電気機器１３２若しくは電力量計１４４により消費電力量を計測される電気機器により消費された電力量を特定することができる。その結果、例えば、電気料金を容易に精算することができる。
【００４９】
本実施形態によれば、電気機器１３２、又は、電力量計１４４により消費電力量を計測される電気機器への電力の提供元を物理的に切り替える必要がない。そのため、電力需要者は、利便性を犠牲にすることなく、経済的なメリットを享受することができる。
【００５０】
本実施形態によれば、電力供給装置１２４などにより供給することができる電力又は電力量に応じて、電力供給装置１２４などにより電気を提供される１以上の負荷装置が選定される。これにより、電力供給装置１２４が、太陽光発電設備、風力発電設備などの発電量が比較的不安定な発電設備を備えている場合であっても、発電した電気を有効に利用することができる。
【００５１】
なお、管理サーバ１２２は、電力供給装置１２４により供給される電気の提供先を管理してもよく、電力供給装置１２４を利用して電力を供給する電力供給者が、他の電力供給者から購入した電気の提供先を管理してもよい。電力供給装置１２４により供給される電気の提供先は、１以上の需要者サイト１０４であってもよく、他の電力供給者であってもよい。ここで、他の電力供給者に電気を提供するとは、電力ネットワーク１４を介して、現実に他の電力供給者の供給者サイトに電気を送電する場合だけでなく、帳簿上、他の電力供給者に電気を提供したものとして扱う場合を含む。
【００５２】
他の実施形態において、管理サーバ１２２は、電力供給装置１２４などにより供給することができる電力又は電力量を、他の供給者サイトに設置された他の管理サーバにより管理される電気機器に対して提供するか否かを管理してもよい。例えば、管理サーバ１２２は、他の供給者サイトに設置された他の管理サーバから、当該他の管理サーバにより管理される電気機器又は電力量計のうち、電源がＯＮになっており、かつ、当該他の供給者により電気を提供されているものとして扱われていない電気機器又は電力量計に関する情報を取得する。
【００５３】
管理サーバ１２２は、管理サーバ１２２により管理される電気機器に対して電力を提供しても余剰電力が発生することが見込まれる場合に、他の管理サーバから取得した情報と、当該余剰電力に関する情報とに基づいて、他の管理サーバにより管理される電気機器の中から、電力供給装置１２４などにより電気を提供される機器を決定してよい。このように、管理サーバ１２２は、管理サーバ１２２により管理される電気機器に対して優先順位を設けてもよい。
【００５４】
管理サーバ１２２は、１以上の需要者（ユーザと称する場合がある。）のそれぞれの前払金に関する情報を管理してもよい。例えば、管理サーバ１２２は、１以上の需要者のそれぞれにより入金された前払金と、１以上の需要者のそれぞれが利用した電気の料金とに基づいて、１以上の需要者のそれぞれの前払金の残高を算出する。管理サーバ１２２は、１以上の需要者のそれぞれを識別する識別情報（需要者ＩＤと称する場合がある。）と、当該需要者ＩＤにより識別される需要者の前払金の残高とを対応づけて管理してよい。
【００５５】
需要者ＩＤは、需要者のそれぞれに割り当てられた情報であってもよく、需要者のそれぞれの情報処理端末に割り当てられた情報であってもよい。情報処理端末としては、需要者端末１５２、Ｗｅｂブラウザソフトが導入されたパーソナルコンピュータ、携帯端末などを例示することができる。携帯端末としては、携帯電話、スマートホン、ＰＤＡ、タブレット、ノートブック・コンピュータ又はラップトップ・コンピュータなどを例示することができる。
【００５６】
情報処理端末に割り当てられた情報としては、ＭＡＣアドレス、Ｂｌｕｅｔｏｏｔｈ（登録商標）対応デバイスを識別するためのＢＤアドレス（ＢＤ＿ＡＤＤＲと称される場合がある。）、ＺｉｇＢｅｅ（登録商標）対応デバイスを識別するためのアドレス（ＺｉｇＢｅｅＩＤと称される場合がある。）などの通信端末に固有のＩＤ、各種のＳＩＭ（Ｓｕｂｓｃｒｉｂｅｒ  Ｉｄｅｎｔｉｔｙ  Ｍｏｄｕｌｅ）カードに記録された情報処理端末に固有のＩＤ番号、通信端末の契約者ごとに割り当てられた契約者に固有のＩＤ（契約者固有ＩＤと称される場合がある。また、通信キャリアによって、端末製造番号、ユーザＩＤ、ｉモード（登録商標）ＩＤ、サブスクライバＩＤ、ＥＺ番号、端末シリアル番号などと称される場合がある。）などを例示することができる。
【００５７】
前払金の入金方法は、特に限定されない。一実施形態によれば、需要者は、情報処理端末を利用して、管理サーバ１２２により管理される口座に前受金を入金する。他の実施形態によれば、需要者は、予め定められた金額に相当するプリペイドカードを購入することで、管理サーバ１２２により管理される口座に前払金を入金する。需要者が、需要者端末１５２に設けられたスロットにプリペイドカードを挿入することで、管理サーバ１２２により管理される口座に前払金が入金されてもよい。なお、電気料金の精算方法は、前払い方式に限定されない。電気料金の精算方法は、後払い方式であってもよい。
【００５８】
管理サーバ１２２の各部は、ハードウエアにより実現されてもよく、ソフトウエアにより実現されてもよく、ハードウエアとソフトウエアとの組み合わせにより実現されてもよい。また、プログラムが実行されることにより、コンピュータが、管理サーバ１２２の一部として機能してもよい。プログラムは、ＣＤ−ＲＯＭ、ＤＶＤ−ＲＯＭ、メモリ、ハードディスクなどのコンピュータ読み取り可能な媒体に記憶されていてもよく、ネットワークに接続された記憶装置に記憶されていてもよい。プログラムは、コンピュータ読み取り可能な媒体又はネットワークに接続された記憶装置から、管理サーバ１２２のコンピュータにインストールされてよい。
【００５９】
コンピュータを管理サーバ１２２の一部として機能させるプログラムは、管理サーバ１２２の各部の動作を規定したモジュールを備えてよい。これらのプログラム又はモジュールは、プロセッサ、通信インターフェース、ＧＰＳ情報取得装置等に働きかけて、コンピュータを管理サーバ１２２の各部として機能させたり、コンピュータに管理サーバ１２２における情報処理方法を実行させたりする。
【００６０】
これらのプログラムに記述された情報処理は、コンピュータに読込まれることにより、ソフトウエアと、管理サーバ１２２の各種のハードウエア資源とが協働した具体的手段として機能する。そして、これらの具体的手段によって、本実施形態におけるコンピュータの使用目的に応じた情報の演算又は加工を実現することにより、使用目的に応じた管理サーバ１２２を構築することができる。
【００６１】
管理サーバ１２２として用いられるコンピュータは、ＣＰＵ等のプロセッサ、ＲＯＭ、ＲＡＭ、通信インターフェースなどを有するデータ処理装置と、キーボード、タッチパネル、マイク、ＧＰＳ情報取得装置などの入力装置と、表示装置、スピーカなどの出力装置と、メモリ、ＨＤＤなどの記憶装置とを備えてよい。データ処理装置又は記憶装置は、上記のソフトウエア又はプログラムを記憶してよい。
【００６２】
電力供給装置１２４は、電力ネットワーク１４を介して、需要者サイト１０４に配された設備に電力を供給する。電力供給装置１２４は、発電設備、蓄電設備又はこれらの組み合わせであってよい。発電設備としては、火力発電設備、水力発電設備、地熱発電設備、太陽光発電設備、風力発電設備及びこれらの組み合わせを例示することができる。電力供給装置１２４は、変電設備を有してもよい。これにより、電力ネットワーク１４との間で電力を円滑に送受することができる。例えば、電力供給装置１２４は、電力ネットワーク１４から電気を受電して蓄電設備に蓄積し、蓄電設備に蓄積された電気を、変電設備を介して電力ネットワーク１４に供給する（逆潮流と称される場合がある。）ことができる。
【００６３】
電気機器１３２及び電気機器１３４のそれぞれは、電力を消費する機器であればよく、特に限定されない。電気機器１３２及び電気機器１３４の少なくとも一方は、消費電力又は消費電力量を記録する機能を有してもよい。電気機器１３２及び電気機器１３４の少なくとも一方は、時間に関する情報と、当該時間における消費電力又は消費電力量とを対応付けて記録してもよく、時間に関する情報と、当該時間における積算消費電力量とを対応づけて記録してもよい。電気機器１３２及び電気機器１３４の少なくとも一方は、管理サーバ１２２からの要求に応じて、消費電力又は消費電力量を記録してもよく、予め定められた時刻の到来又は予め定められた期間の経過に伴って、消費電力又は消費電力量を記録してもよい。
【００６４】
本実施形態において、電気機器１３２は、ゲートウェイ１５４を介して、管理サーバ１２２との間で情報を送受する。電気機器１３４は、需要者端末１５２及びゲートウェイ１５４を介して、管理サーバ１２２との間で情報を送受する。電気機器１３２及び電気機器１３４のそれぞれは、管理サーバ１２２から配信される広告情報を出力してもよい。電気機器１３２及び電気機器１３４のそれぞれは、広告情報を表示画面に表示してもよく、広告情報をスピーカから音声として出力してもよい。
【００６５】
分電装置１４２は、電力ネットワーク１４から受電した電気を電気機器１３２及び電気機器１３４のそれぞれに分配する。本実施形態において、分電装置１４２は、需要者端末１５２及びゲートウェイ１５４にも電力を供給する。これにより、電力供給者から供給される電力が、需要者サイト１０４に配された１以上の負荷装置に供給される。分電装置１４２は、電気機器又は負荷の一例であってよい。
【００６６】
本実施形態において、分電装置１４２は、電力量計１４４又は需要者端末１５２からの指示に基づいて、分電装置１４２から、電気機器１３２、電気機器１３４、需要者端末１５２及びゲートウェイ１５４に供給される電力を制限したり、当該制限を解除したりする。分電装置１４２は、管理サーバ１２２からの指示に基づいて、分電装置１４２から、電気機器１３２、電気機器１３４、需要者端末１５２及びゲートウェイ１５４に供給される電力を制限したり、当該制限を解除したりしてもよい。
【００６７】
分電装置１４２は、分電装置１４２から他の機器への電力の供給が制限されている場合であっても、需要者端末１５２及びゲートウェイ１５４の少なくとも一方への電力の供給を継続するように構成されていてよい。例えば、分電装置１４２は、需要者端末１５２及びゲートウェイ１５４の少なくとも一方に電力を供給する回路と、他の機器に電力を供給する回路とを備える。需要者端末１５２への電力の供給が継続されることにより、需要者サイト１０４における消費電力量の記録を継続することができる。ゲートウェイ１５４への電力の供給が継続されることにより、管理サーバ１２２との通信を継続することができる。
【００６８】
電力量計１４４は、例えば、電力ネットワーク１４と分電装置１４２との間に配され、需要者サイト１０４における消費電力量を記録する。電力量計１４４は、時間に関する情報と、当該時間における消費電力とを対応付けて記録してもよく、時間に関する情報と、当該時間における積算消費電力量とを対応づけて記録してもよい。電力量計１４４は、電気機器又は負荷の一例であってよい。
【００６９】
電力量計１４４は、ＥＣＨＯＮＥＴ  Ｌｉｔｅ規格に対応したスマートメータであってもよい。電力量計１４４は、通信機能を有してよい。電力量計１４４は、需要者端末１５２との間で情報を送受してよい。例えば、電力量計１４４は、予め定められたイベントが発生した場合に、記録した情報を需要者端末１５２に送信する。予め定められたイベントとしては、管理サーバ１２２又は需要者端末１５２から、電力量計１４４に記録された情報を送信することを要求する送信要求を受信した場合、予め定められた時刻が到来した場合、前回の送信から予め定められた時間が経過した場合などを例示することができる。本実施形態において、電力量計１４４は、記録した情報を、定期的に需要者端末１５２に送信する。
【００７０】
一実施形態において、電力量計１４４は、分電装置１４２を制御する。例えば、電力量計１４４は、分電装置１４２から、電気機器１３２、電気機器１３４、需要者端末１５２及びゲートウェイ１５４に供給される電力を制限することを指示する信号を、分電装置１４２に送信する。電力量計１４４は、上記の制限を解除することを指示する信号を、分電装置１４２に送信してもよい。電力量計１４４は、管理サーバ１２２又は需要者端末１５２からの指示に基づいて、分電装置１４２を制御してもよい。
【００７１】
需要者端末１５２は、電気機器１３４と管理サーバ１２２との間の情報の送受を中継する。需要者端末１５２は、無線通信により上記の情報を送受してもよく、有線通信により上記の情報を送受してもよい。本実施形態において、需要者端末１５２は、電気機器１３４との間で情報を送受する。また、需要者端末１５２は、電力量計１４４との間で情報を送受する。需要者端末１５２は、ゲートウェイ１５４及び通信ネットワーク１２を介して、管理サーバ１２２との間で情報を送受する。
【００７２】
需要者端末１５２は、需要者サイト１０４における電気の利用を管理してもよい。需要者端末１５２は、需要者サイト１０４に配された電力量計、電気機器、発電機器、蓄電機器などにおける電気の利用状況に関する情報を収集する。一実施形態において、需要者端末１５２は、需要者端末１５２と通信可能に配された１以上の電気機器のそれぞれについて、特定の時刻を基準とした場合の積算消費電力量を収集する。他の実施形態において、需要者端末１５２は、電力量計１４４により計測された、特定の時刻を基準とした場合の積算消費電力量を収集する。需要者端末１５２は、特定の時刻を基準とした場合の積算消費電力量の代わりに、特定の期間において消費された電力量を収集してもよい。
【００７３】
需要者端末１５２は、管理サーバ１２２からの要求に応じて、需要者サイト１０４における電気の利用状況に関する情報を収集してもよい。需要者端末１５２は、予め定められた時刻の到来又は予め定められた期間の経過に伴って、需要者サイト１０４における電気の利用状況に関する情報を収集してもよい。
【００７４】
予め定められた時刻又は予め定められた期間は、同時同量を達成すべき期間に基づいて決定されてもよい。同時同量制度においては、特定の期間（同時同量を達成すべき期間と称する場合がある。）における実発電量の合計値と実需要量の合計値とのそれぞれを一致させることが要求される。特定の期間は、例えば３０分に設定される。需要者端末１５２が、予め定められた時刻の到来又は予め定められた期間の経過に伴って、需要者サイト１０４における電気の利用状況に関する情報を収集することにより、同時同量を達成すべき期間における実需要量に関する情報を取得することができる。取得された実需要量に関する情報は、将来の需要電力量の予測に利用されてもよい。
【００７５】
需要者端末１５２は、管理サーバ１２２からの要求に応じて、収集した情報を管理サーバ１２２に送信してよい。需要者端末１５２は、収集した情報を一旦記憶しておき、任意のタイミングで管理サーバ１２２に送信してもよい。需要者端末１５２は、収集した情報を、予め定められた期間の間におけるランダムなタイミングにおいて、管理サーバ１２２に送信してもよい。例えば、需要者端末１５２は、１２時２９分に収集したデータを記憶しておき、１２時３０分から１２時３５分までの間でランダムに決定された時刻において、当該データを管理サーバ１２２に送信する。これにより、管理サーバ１２２におけるデータ処理を円滑化することができる。
【００７６】
需要者端末１５２は、管理サーバ１２２からの要求に応じて、需要者サイト１０４に配された電気機器への電気の供給を制御してもよい。例えば、需要者端末１５２が管理サーバ１２２から節電要請を受信した場合、需要者端末１５２は、電気の供給を現実に停止又は減少させる電気機器を決定する。需要者端末１５２は、上記の決定に従って、電気機器に対する電気の供給を停止又は減少させる。
【００７７】
需要者端末１５２の各部は、ハードウエアにより実現されてもよく、ソフトウエアにより実現されてもよく、ハードウエアとソフトウエアとの組み合わせにより実現されてもよい。また、管理サーバ１２２の場合と同様に、プログラムが実行されることにより、コンピュータが、需要者端末１５２の一部として機能してもよい。需要者端末１５２は、ＥＣＨＯＮＥＴ  Ｌｉｔｅ規格に対応した機器であってもよい。需要者端末１５２は、ゲートウェイ１５４と、電気機器１３４との間に配される機器であってもよく、コンセントと、電気機器１３４との間に配される機器であってもよい。需要者端末１５２は、ＨＥＭＳ（Ｈｏｍｅ  Ｅｎｅｒｇｙ  Ｍａｎａｇｅｍｅｎｔ  Ｓｙｓｔｅｍ）、ＢＥＭＳ（Ｂｕｉｌｄｉｎｇ  Ｅｎｅｒｇｙ  Ｍａｎａｇｅｍｅｎｔ  Ｓｙｓｔｅｍｓ）、ＦＥＭＳ（Ｆａｃｔｏｒｙ  Ｅｎｅｒｇｙ  Ｍａｎａｇｅｍｅｎｔ  Ｓｙｓｔｅｍｓ）、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍｓ）などを制御するための機器であってもよい。
【００７８】
本実施形態において、電気機器１３２、電気機器１３４、電力量計１４４及び需要者端末１５２が、ゲートウェイ１５４を介して通信ネットワーク１２に接続される場合について説明した。しかし、上記の機器は本実施形態に限定されない。他の実施形態において、電気機器１３２、電気機器１３４、電力量計１４４及び需要者端末１５２の少なくとも１つが、無線通信機能を有し、無線ＬＡＮのアクセスポイント、移動体通信網の基地局などを介して、通信ネットワーク１２に接続されてもよい。また、電気機器１３２、電気機器１３４、電力量計１４４及び需要者端末１５２の少なくとも１つが、ゲートウェイ１５４の機能を兼ね備えてもよい。
【００７９】
一実施形態において、需要者端末１５２は、分電装置１４２を制御する。例えば、需要者端末１５２は、分電装置１４２から、電気機器１３２、電気機器１３４、需要者端末１５２及びゲートウェイ１５４に供給される電力を制限することを指示する信号（制限信号と称する場合がある。）を、分電装置１４２に送信する。制限信号は、分電装置１４２から電力を供給される機器のうち、需要者端末１５２及びゲートウェイ１５４の少なくとも一方を除いた機器に供給される電力を制限することを指示する信号であってもよい。需要者端末１５２は、上記の制限を解除することを指示する信号（解除信号と称する場合がある。）を、分電装置１４２に送信してもよい。
【００８０】
需要者端末１５２は、電力量計１４４を介して、分電装置１４２を制御してもよい。例えば、需要者端末１５２は、制限信号及び解除信号の少なくとも一方を、電力量計１４４に送信する。電力量計１４４は、需要者端末１５２から制限信号を受信すると、分電装置１４２に接続された機器に供給される電力を制限することを指示する信号を、分電装置１４２に送信する。電力量計１４４は、需要者端末１５２から解除信号を受信すると、分電装置１４２に課された制限を解除することを指示する信号を分電装置１４２に送信する。需要者端末１５２は、管理サーバ１２２からの指示に基づいて、分電装置１４２を制御してもよい。
【００８１】
図２は、管理サーバ１２２の一例を概略的に示す。本実施形態において、管理サーバ１２２は、供給量予測部２１２と、機器情報取得部２１４と、電力提供管理部２１６と、要求送信部２１８と、利用履歴生成部２２２と、情報格納部２２４と、電力融通部２２６と、配信部２２８とを備える。機器情報取得部２１４は、情報取得部の一例であってよい。電力提供管理部２１６は、選定部、開始決定部又は終了決定部の一例であってよい。電力融通部２２６は、電力調達部の一例であってよい。なお、管理サーバ１２２の各部における処理は、本実施形態に限定されない。管理サーバ１２２の特定の部材における処理を、管理サーバ１２２の他の部材が実行してもよい。
【００８２】
供給量予測部２１２は、特定の期間において、電力供給装置１２４などにより提供することのできる電力又は電力量を予測する。例えば、将来の３０分間における電力又は電力量を予測する。供給量予測部２１２は、天気予報などの情報に基づいて事前に予測した発電量と、電力供給装置１２４から取得した直近の実発電量とに基づいて、上記の電力又は電力量を予測してよい。供給量予測部２１２は、さらに、電力融通部２２６から取得した外部の電力供給者から調達できる電力又は電力量を考慮して、上記の電力又は電力量を予測してもよい。
【００８３】
機器情報取得部２１４は、電気機器１３２及び電気機器１３４に関する情報を取得する。機器情報取得部２１４は、電力量計１４４に関する情報を取得してもよい。機器情報取得部２１４は、１以上の電力量計のそれぞれについて、当該電力量計により消費電力を計測される１以上の電気機器に関する情報を取得してもよい。
【００８４】
本実施形態において、機器情報取得部２１４は、電気機器１３２及び電気機器１３４の電力の利用状況に関する情報を取得する。機器情報取得部２１４は、ユーザから入力された情報、各電気機器の製造者により提供される情報を取得して、各電気機器の仕様に関する情報を取得してもよい。本実施形態において、機器情報取得部２１４は、通信ネットワーク１２を介して、電気機器１３２に関する情報を電気機器１３２から取得する。機器情報取得部２１４は、通信ネットワーク１２を介して、電気機器１３４に関する情報を需要者端末１５２から取得する。
【００８５】
本実施形態において、機器情報取得部２１４は、電源がＯＮになっている電気機器又は電力量計の識別情報が格納されたデータテーブル（エントリ機器リストと称する場合がある。）を生成する。エントリ機器リストは、特定の期間の間において、管理サーバ１２２に対して、電源がＯＮになったことを示す情報又は電源がＯＦＦになったことを示す情報を送信した電気機器又は電力量計のリストであってもよい。エントリ機器リストは、管理サーバ１２２が管理する全ての電気機器及び電力量計のリストであってもよく、現在、電源がＯＮになっている電気機器又は電力量計のリストであってもよい。
【００８６】
例えば、機器情報取得部２１４は、電気機器１３２の電源がＯＮになった場合に、電気機器１３２から、電気機器１３２の識別情報と電源の状態を示す情報とを含む通知を受信する。この場合、機器情報取得部２１４は、エントリ機器リストに電気機器１３２の識別情報が含まれているか否かを確認する。エントリ機器リストに電気機器１３２の識別情報が含まれている場合、機器情報取得部２１４は、エントリ機器リストを更新して、当該識別情報により識別される電気機器の電源がＯＮであることを示す情報を追加する。エントリ機器リストに電気機器１３２の識別情報が含まれていない場合、機器情報取得部２１４は、エントリ機器リストを更新して、電気機器１３２の識別情報と、当該識別情報により識別される電気機器の電源がＯＮであることを示す情報とを追加する。
【００８７】
一方、機器情報取得部２１４は、電気機器１３２の電源がＯＦＦになった場合に、電気機器１３２から、電気機器１３２の識別情報と電源の状態を示す情報とを含む通知を受信する。この場合、機器情報取得部２１４は、エントリ機器リストに電気機器１３２の識別情報が含まれているか否かを確認する。エントリ機器リストに電気機器１３２の識別情報が含まれている場合、機器情報取得部２１４は、エントリ機器リストを更新して、当該識別情報により識別される電気機器の電源がＯＦＦであることを示す情報を追加する。エントリ機器リストに電気機器１３２の識別情報が含まれていない場合、機器情報取得部２１４は、エントリ機器リストを更新して、電気機器１３２の識別情報と、当該識別情報により識別される電気機器の電源がＯＦＦであることを示す情報とを追加する。これにより、各電気機器の電源がＯＦＦである期間に関する情報の解析を効率よく実行することができる。
【００８８】
なお、エントリ機器リストが現在、電源がＯＮになっている電気機器のリストである場合、エントリ機器リストは、例えば下記の手順により更新されてよい。まず、電気機器１３２の電源がＯＮになった場合に、機器情報取得部２１４が、電気機器１３２の識別情報と電源の状態を示す情報とを含む通知を受信する。機器情報取得部２１４は、エントリ機器リストに当該識別情報を追加する。電気機器１３２の電源がＯＦＦになった場合に、機器情報取得部２１４が、電気機器１３２の識別情報と電源の状態を示す情報とを含む通知を受信する。機器情報取得部２１４は、エントリ機器リストから電気機器１３２の識別情報を削除する。
【００８９】
同様に、機器情報取得部２１４は、電気機器１３４の電源がＯＮになった場合に、需要者端末１５２から、電気機器１３４の識別情報を含む通知を受信する。機器情報取得部２１４は、電気機器１３４の電源がＯＦＦになった場合に、需要者端末１５２から、電気機器１３４の識別情報を含む通知を受信する。機器情報取得部２１４は、電気機器１３４の識別情報を含む通知を受信したことに応じて、エントリ機器リストを更新する。
【００９０】
同様に、機器情報取得部２１４は、電力量計１４４の電源がＯＮになった場合に、電力量計１４４又は需要者端末１５２から、電力量計１４４の識別情報及び電源の状態を示す情報を含む通知を受信する。この場合、機器情報取得部２１４は、エントリ機器リストに電力量計１４４の識別情報が含まれているか否かを確認する。エントリ機器リストに電力量計１４４の識別情報が含まれている場合、機器情報取得部２１４は、エントリ機器リストを更新して、当該識別情報により識別される電気機器の電源がＯＮであることを示す情報を追加する。エントリ機器リストに電力量計１４４の識別情報が含まれていない場合、機器情報取得部２１４は、エントリ機器リストを更新して、電力量計１４４の識別情報と、当該識別情報により識別される電気機器の電源がＯＮであることを示す情報とを追加する。
【００９１】
一方、機器情報取得部２１４は、電力量計１４４の電源がＯＦＦになった場合に、電力量計１４４又は需要者端末１５２から、電力量計１４４の識別情報と電源の状態を示す情報とを含む通知を受信する。この場合、機器情報取得部２１４は、エントリ機器リストに電力量計１４４の識別情報が含まれているか否かを確認する。エントリ機器リストに電力量計１４４の識別情報が含まれている場合、機器情報取得部２１４は、エントリ機器リストを更新して、当該識別情報により識別される電気機器の電源がＯＦＦであることを示す情報を追加する。エントリ機器リストに電力量計１４４の識別情報が含まれていない場合、機器情報取得部２１４は、エントリ機器リストを更新して、電力量計１４４の識別情報と、当該識別情報により識別される電気機器の電源がＯＦＦであることを示す情報とを追加する。これにより、各電気機器の電源がＯＦＦである期間に関する情報の解析を効率よく実行することができる。
【００９２】
同様に、機器情報取得部２１４は、電力量計１４４の電源がＯＮになった場合に、電力量計１４４又は需要者端末１５２から、電力量計１４４の識別情報を含む通知を受信する。機器情報取得部２１４は、電力量計１４４の電源がＯＦＦになった場合に、需要者端末１５２から、電力量計１４４の識別情報を含む通知を受信する。機器情報取得部２１４は、電力量計１４４の識別情報を含む通知を受信したことに応じて、エントリ機器リストを更新する。
【００９３】
なお、機器情報取得部２１４は、電力量計１４４により計測された消費電力量が予め定められた値よりも大きい場合に、電力量計１４４の電源がＯＮであると判断してもよい。機器情報取得部２１４は、電力量計１４４により計測された消費電力量が予め定められた値よりも小さい場合に、電力量計１４４の電源がＯＦＦであると判断してもよい。
【００９４】
電力提供管理部２１６は、１以上の需要者サイト１０４のそれぞれにおいて消費される電気の提供元を管理する。本実施形態において電力提供管理部２１６は、電気機器１３２及び電気機器１３４のそれぞれにより消費される電気の提供元を管理する。電力提供管理部２１６は、電気機器１３２及び電気機器１３４のそれぞれにより消費された電力又は電力量のうち、電力供給装置１２４などから供給されたものとして扱う電力又は電力量を記録することで、電力の提供元を管理してよい。
【００９５】
電力提供管理部２１６は、機器情報取得部２１４から、電気機器１３２、電気機器１３４又は電力量計１４４の電源がＯＮになったことを示す情報を受信する。電力提供管理部２１６は、機器情報取得部２１４から、電気機器１３２、電気機器１３４又は電力量計１４４の電源がＯＦＦになったことを示す情報を受信する。
【００９６】
一実施形態において、電力提供管理部２１６は、電気機器１３２又は電気機器１３４の見做し処理を開始するか否かを決定する。また、電力提供管理部２１６は、電気機器１３２又は電気機器１３４の見做し処理を終了するか否かを決定する。電力提供管理部２１６は、電気機器１３２又は電気機器１３４のユーザが予め定められた商品又はサービスのユーザである場合に、電力供給装置１２４などから電気を提供されるものとして扱われる確率、及び、電力供給装置１２４などにより提供されるものとして扱われる消費電力量の少なくとも一方が、当該ユーザが予め定められた商品又はサービスのユーザでない場合よりも大きくなるように、見做し処理を開始するか否かを決定してよい。例えば、予め定められた商品又はサービスのそれぞれのユーザに対して予め定められたポイントを付与し、当該ポイントの合計数に応じて、上記の確率又は消費電力量を決定してよい。
【００９７】
他の実施形態において、電力提供管理部２１６は、電力量計１４４の見做し処理を開始するか否かを決定する。また、電力提供管理部２１６は、電力量計１４４の見做し処理を終了するか否かを決定する。電力提供管理部２１６は、電力量計１４４のユーザが予め定められた商品又はサービスのユーザである場合に、電力量計１４４により計測される消費電力量の少なくとも一部が電力供給装置１２４などにより提供されるものとして扱われる確率、及び、電力供給装置１２４などにより提供されるものとして扱われる消費電力量の少なくとも一方が、当該ユーザが予め定められた商品又はサービスのユーザでない場合よりも大きくなるように、見做し処理を開始するか否かを決定してよい。例えば、予め定められた商品又はサービスのそれぞれのユーザに対して予め定められたポイントを付与し、当該ポイントの合計数に応じて、上記の確率又は消費電力量を決定してよい。
【００９８】
本実施形態において、電力提供管理部２１６は、例えば、電気機器１３２の見做し処理を開始することを決定した場合、電気機器１３２の識別情報を利用履歴生成部２２２に通知する。また、電力提供管理部２１６は、電気機器１３２の見做し処理を終了することを決定した場合、電気機器１３２の識別情報を利用履歴生成部２２２に通知する。
【００９９】
同様に、電力提供管理部２１６は、電力量計１４４の見做し処理を開始することを決定した場合、電力量計１４４の識別情報を利用履歴生成部２２２に通知する。また、電力提供管理部２１６は、電力量計１４４の見做し処理を終了することを決定した場合、電力量計１４４の識別情報を利用履歴生成部２２２に通知する。
【０１００】
本実施形態において、電力提供管理部２１６は、機器情報取得部２１４から電気機器１３２の電源がＯＦＦになったことを示す情報を受信した場合、電気機器１３２の識別情報を利用履歴生成部２２２に通知する。電力提供管理部２１６は、電気機器１３４及び電力量計１４４についても同様の処理を実行する。
【０１０１】
電力提供管理部２１６は、１以上の需要者のそれぞれの前払金に関する情報を管理してもよい。例えば、電力提供管理部２１６は、１以上の需要者のそれぞれにより入金された前払金と、１以上の需要者のそれぞれが利用した電気の料金とに基づいて、１以上の需要者のそれぞれの前払金の残高を算出する。電力提供管理部２１６は、需要者ＩＤと、当該需要者ＩＤにより識別される需要者の前払金の残高とを対応づけて管理してよい。電力提供管理部２１６は、前払金の入金処理を実施してよい。
【０１０２】
要求送信部２１８は、電気機器１３２又は需要者端末１５２に対して、各種の要求を送信する。要求送信部２１８は、需要者端末１５２を介して、電気機器１３４又は電力量計１４４に対して、各種の要求を送信してもよい。
【０１０３】
一実施形態において、電力提供管理部２１６が電気機器１３２の見做し処理を終了することを決定した場合、要求送信部２１８は、電力供給装置１２４などから電気機器１３２に電気が提供されているものとして扱われていた期間における消費電力量を決定するための処理を、電気機器１３２に実行させるための要求を生成する。電力供給装置１２４などから電気機器１３２に電気が提供されているものとして扱われていた期間は、電気機器１３２の見做し処理が開始されてから終了されるまでの期間であってよい。要求送信部２１８は、生成された要求を電気機器１３２に送信してよい。
【０１０４】
なお、要求送信部２１８は、電力提供管理部２１６が電気機器１３２の見做し処理を開始することを決定した場合に、上記の要求を生成及び送信してもよい。この場合、上記の処理は、電力提供管理部２１６が電気機器１３２の見做し処理を終了することを決定した場合に実行されるように設定されてよい。
【０１０５】
他の実施形態において、電力提供管理部２１６が電力量計１４４の見做し処理を終了することを決定した場合、要求送信部２１８は、電力量計１４４において計測される消費電力量の少なくとも一部が、電力供給装置１２４などにより提供されるものとして扱われていた期間における消費電力量を決定するための処理を、電力量計１４４又は需要者端末１５２に実行させるための要求を生成する。電力量計１４４において計測される消費電力量の少なくとも一部が、電力供給装置１２４などにより提供されるものとして扱われていた期間は、電力量計１４４の見做し処理が開始されてから終了されるまでの期間であってよい。要求送信部２１８は、生成された要求を需要者端末１５２に送信してよい。
【０１０６】
なお、要求送信部２１８は、電力提供管理部２１６が電力量計１４４の見做し処理を開始することを決定した場合に、上記の要求を生成及び送信してもよい。この場合、上記の処理は、電力提供管理部２１６が電力量計１４４の見做し処理を終了することを決定した場合に実行されるように設定されてよい。
【０１０７】
電力供給装置１２４などから電気機器１３２に電気が提供されているものとして扱われていた期間、又は、電力量計１４４において計測される消費電力量の少なくとも一部が、電力供給装置１２４などにより提供されるものとして扱われていた期間（見做し期間と称する場合がある。）における消費電力量を決定するための処理は、見做し期間における消費電力量を決定する一連の処理の少なくとも一部を構成する処理であってよい。見做し期間は、見做し処理が開始されてから当該見做し処理が終了されるまでの時間であってもよい。見做し期間における消費電力量を決定するための処理としては、（１）見做し期間における消費電力量を送信させる処理、（２）見做し処理が開始された時点における積算消費電力量を送信させる処理、（３）見做し処理が終了した時点における積算消費電力量を送信させる処理、（４）見做し処理が開始されてから見做し処理が終了するまでの間、予め定められた時刻における積算消費電力量を送信させる処理、（５）見做し処理が開始されてから見做し処理が終了するまでの間、予め定められた時間間隔で積算消費電力量を送信させる処理、及びこれらの組み合わせなどを例示することができる。
【０１０８】
利用履歴生成部２２２は、例えば、電気機器１３２及び電気機器１３４のそれぞれにつき、利用履歴を生成する。利用履歴生成部２２２は、電力量計１４４により消費電力量を計測される１以上の電気機器からなるグループごとに、利用履歴を生成してもよい。
【０１０９】
本実施形態において、利用履歴生成部２２２は、電力提供管理部２１６から、電気機器１３２、電気機器１３４及び電力量計１４４を含む複数の機器における電気の利用状況に関する情報を取得する。利用履歴生成部２２２は、電力供給装置１２４などにより電気を提供される電気機器の識別情報、及び、当該電気機器の消費電力量を計測する電力量計の識別情報の少なくとも一方が格納されたデータテーブル（電力提供機器リストと称する場合がある。）を生成してよい。電力提供機器リストは利用履歴の一例であってよい。
【０１１０】
利用履歴生成部２２２は、特定の電力量計の識別情報、及び、当該特定の電力量計により消費電力量を計測される１以上の電気機器の識別情報のいずれか一方が、電力提供機器リストに格納されるように、電力提供機器リストを生成してよい。例えば、電力量計１４４により計測される消費電力量の少なくとも一部が、電力供給装置１２４などにより提供されるものとして扱われている場合、電力提供機器リストには、電力量計１４４の識別情報が格納される一方、電気機器１３２及び電気機器１３４の識別情報は格納されない。これにより、特定の電力量計により消費電力量を計測される１以上の電気機器の消費電力量が重複して計上されることを防止することができる。
【０１１１】
他の実施形態において、電力量計１４４により計測される消費電力量の少なくとも一部が、電力供給装置１２４など提供されるものとして扱われていない場合、電力量計１４４の識別情報は、電力提供機器リストに格納されない。この場合において、電気機器１３２及び電気機器１３４の識別情報が電力提供機器リストに格納されなくてもよく、電気機器１３２及び電気機器１３４の少なくとも一方の識別情報が、電力提供機器リストに格納されてもよい。電気機器１３２及び電気機器１３４の少なくとも一方の識別情報が、電力提供機器リストに格納された場合、電気機器１３２及び電気機器１３４の少なくとも一方において消費される電力又は電力量は、電力供給装置１２４などにより提供されている電力又は電力量として扱われる。
【０１１２】
電力提供機器リストは、例えば、下記の手順により更新される。電力提供管理部２１６が、電気機器１３２の見做し処理を開始することを決定した場合、利用履歴生成部２２２は、電力提供機器リストを参照して、電気機器１３２の識別情報に対応付けて、電力の提供が開始される時刻に関する情報を格納する。電気機器１３２の見做し処理が開始される時刻は、電力提供管理部２１６が、電気機器１３２の見做し処理を開始することを決定した時刻であってもよい。
【０１１３】
電力提供管理部２１６が、電気機器１３２の見做し処理を終了することを決定した場合、利用履歴生成部２２２は、電力提供機器リストを参照して、電気機器１３２の識別情報に対応付けて、電気機器１３２の見做し処理が終了した時刻に関する情報を格納する。電気機器１３２の見做し処理が終了した時刻は、電力提供管理部２１６が、電気機器１３２の見做し処理を終了することを決定した時刻であってもよい。
【０１１４】
電力提供管理部２１６が、電気機器１３２の電源がＯＦＦになったことを示す情報を受信した場合、利用履歴生成部２２２は、電力提供機器リストを参照して、電気機器１３２の識別情報に対応付けて、当該情報を受信した時刻を、電気機器１３２の見做し処理が終了した時刻として格納してもよい。なお、電力提供管理部２１６が、電気機器１３２の電源がＯＦＦになった時刻に関する情報を受信した場合、利用履歴生成部２２２は、電力提供機器リストを参照して、電気機器１３２の識別情報に対応付けて、当該情報に含まれる時刻を、電力の提供が終了した時刻として格納してもよい。
【０１１５】
電力提供管理部２１６が、電力量計１４４の見做し処理を開始することを決定した場合、利用履歴生成部２２２は、電力提供機器リストを参照して、電力量計１４４の識別情報に対応付けて、電力の提供が開始される時刻に関する情報を格納する。電力量計１４４の見做し処理が開始される時刻は、電力提供管理部２１６が、電力量計１４４の見做し処理を開始することを決定した時刻であってもよい。
【０１１６】
電力提供管理部２１６が、電力量計１４４の見做し処理を終了することを決定した場合、利用履歴生成部２２２は、電力提供機器リストを参照して、電力量計１４４の識別情報に対応付けて、電力量計１４４の見做し処理が終了した時刻に関する情報を格納する。電力量計１４４の見做し処理が終了した時刻は、電力提供管理部２１６が、電力量計１４４の見做し処理を終了することを決定した時刻であってもよい。
【０１１７】
電力提供管理部２１６が、電力量計１４４の電源がＯＦＦになったことを示す情報を受信した場合、利用履歴生成部２２２は、電力提供機器リストを参照して、電力量計１４４の識別情報に対応付けて、当該情報を受信した時刻を、電力量計１４４の見做し処理が終了した時刻として格納してもよい。なお、電力提供管理部２１６が、電力量計１４４の電源がＯＦＦになった時刻に関する情報を受信した場合、利用履歴生成部２２２は、電力提供機器リストを参照して、電力量計１４４の識別情報に対応付けて、当該情報に含まれる時刻を、電力の提供が終了した時刻として格納してもよい。
【０１１８】
他の実施形態において、利用履歴生成部２２２は、電力提供管理部２１６から、電力供給装置１２４などにより電気を提供されうる電気機器又は電力量計の選定結果に関する情報を取得する。選定結果には、選定された電気機器又は電力量計の識別情報が含まれる。利用履歴生成部２２２は、選定結果に含まれる識別情報を利用して、電力提供機器リストを更新してよい。
【０１１９】
電力提供機器リストは、電気機器の識別情報と、当該電気機器が電力供給装置１２４などにより電気を提供されていたものとして扱われる期間に関する情報と、当該期間における消費電力量と、当該期間における電力の単価とを対応付けて格納してよい。電力提供機器リストは、電力量計の識別情報と、当該電力量計により計測される消費電力量の少なくとも一部が電力供給装置１２４などにより提供されていたものとして扱われる期間に関する情報と、当該期間における消費電力量と、当該期間における電気の単価とを対応付けて格納してよい。利用履歴生成部２２２は、需要者サイト１０４の需要者に対する電力料金の精算処理を実行してもよい。
【０１２０】
なお、電気機器は、供給者サイト１０２又は需要者サイト１０４に設置された蓄電設備であってもよい。電気機器が蓄電設備である場合、電力提供機器リストは、蓄電設備の識別情報と、当該蓄電設備に電力を供給する他の電力供給装置又は電力供給者の識別情報と、当該蓄電設備が他の電力供給装置などから電気を提供されていたものとして扱われる期間に関する情報と、当該期間に受電した電力量と、当該期間における電気の単価とを対応付けて格納してよい。電力提供機器リストは、蓄電設備に蓄積された電気が他の供給者サイト又は需要者サイトに提供された場合に、電気の提供先の識別情報、蓄電設備が電気を提供していた期間に関する情報、蓄電装置が提供した電力量などに関する情報を格納してもよい。電力提供機器リストは、蓄電設備の蓄電残量、及び、蓄電設備に蓄積されている電気の平均購入単価の少なくとも一方を、当該蓄電設備の識別情報と対応付けて、さらに格納してもよい。
【０１２１】
電気機器が、例えば、供給者サイト１０２に配された蓄電設備である場合、管理サーバの各部における処理の一例は下記のとおりである。まず、電力融通部２２６が、電力オークション市場などを介して、他の電力供給者又は電力供給装置から電力を調達することを決定する。電力融通部２２６は、例えば、電力を購入する期間、当該期間に購入する電力量、当該電力の単価などの条件を決定する。
【０１２２】
上記の期間の始期が到来すると、上記の蓄電設備は、電力ネットワーク１４からの受電を開始する。また、電力提供管理部２１６は、見做し処理を開始する。電力提供管理部２１６は、上記の蓄電設備の蓄電残量を測定又は算出してよい。電力提供管理部２１６が見做し処理を開始すると、利用履歴生成部２２２は、電力提供機器リストを参照して、上記の蓄電設備のレコードを更新する。例えば、利用履歴生成部２２２は、電力提供機器リストに、上記の蓄電設備の見做し処理の開始時刻を記入する。利用履歴生成部２２２は、上記の蓄電設備に蓄積されている電気の平均購入単価を算出して、当該平均購入単価を電力提供機器リストに記入してよい。利用履歴生成部２２２は、上記の蓄電設備の蓄電残量を電力提供機器リストに記入してもよい。
【０１２３】
一方、上記の期間の終期が到来すると、蓄電設備は、電力ネットワーク１４からの受電を終了する。また、電力提供管理部２１６は、見做し処理を終了する。電力提供管理部２１６が見做し処理を終了すると、利用履歴生成部２２２は、電力提供機器リストに格納されている上記の蓄電設備のレコードを更新する。例えば、利用履歴生成部２２２は、電力提供機器リストに、上記の蓄電設備の見做し処理の終了時刻を記入する。なお、上記の平均購入単価は、見做し処理の終了時に算出されてもよい。また、上記の平均購入単価及び蓄電残量の少なくとも一方は、見做し処理の終了時に、電力提供機器リストに記入されてもよい。これにより、例えば、夜間の安価な電気を蓄電設備に蓄積しておき、電力需要が旺盛な時間帯に、需要者サイト又は電力が不足している供給者サイトに、蓄電設備に蓄積された電気を供給する場合において、電気料金の精算処理などを容易に実行することができる。
【０１２４】
需要者端末１５２に異常が発生していることが検知された場合、利用履歴生成部２２２は、異常の発生が検知されなくなるまで、又は、異常の終了を検知するまで、電力提供機器リストの消費電力量の更新を停止してよい。需要者端末１５２に異常が発生している場合であっても、電力量計１４４及び需要者端末１５２の少なくとも一方が消費電力量などのデータを収集及び記憶している場合がある。そこで、利用履歴生成部２２２は、異常の発生が検知されなくなった後、又は、異常の終了を検知した後、電力量計１４４及び需要者端末１５２の少なくとも一方に対して、需要者端末１５２に異常が発生していた期間のデータを送信するよう要求してよい。利用履歴生成部２２２は、需要者端末１５２に異常が発生していた期間のデータを利用して、電力提供機器リストを更新してよい。
【０１２５】
情報格納部２２４は、管理サーバ１２２の各部において使用される情報を格納する。管理サーバ１２２の各部は、情報格納部２２４を参照して、各部における処理に必要な情報を抽出する。
【０１２６】
電力融通部２２６は、電力供給装置１２４を利用して電力を供給する電力供給者以外の他の電力供給者との間で電力を融通する。電力融通部２２６は、他の電力供給者から個別に電力を調達してもよく、電力オークション市場を通じて電力を調達してもよい。電力融通部２２６は、他の電力供給者に個別に電力を供給してもよく、電力オークション市場などの電力取引市場を通じて電力を供給してもよい。
【０１２７】
電力融通部２２６は、例えば、電力を融通する時間、当該時間において融通する電力又は電力量及び単価を決定する。電力融通部２２６は、融通する電力に関する情報を電力提供管理部２１６に通知してよい。電力融通部２２６は、上記の情報を記録しておき、予め定められた期間ごとに、他の電力供給者との間で精算処理を実行してよい。なお、当該精算処理は、通信ネットワーク１２に接続されたサーバ上で実行されてもよい。
【０１２８】
電力融通部２２６は、他の電力供給者又は電力供給装置の売電価格、及び、電力取引市場において取引されている電気の売電価格の少なくとも一方と、予め定められた第１の価格とを比較して、これらの売電価格が予め定められた第１の価格よりも安い場合、電気の購入を決定してよい。第１の価格としては、ユーザにより指定された価格、電力供給装置１２４の蓄電設備に蓄積されている電気の平均購入単価などを例示することができる。
【０１２９】
電力融通部２２６は、他の電力供給者又は電力供給装置の買電価格、及び、電力取引市場において取引されている電気の買電価格の少なくとも一方と、予め定められた第２の価格とを比較して、これらの買電価格が予め定められた第２の価格よりも安い場合、電気の売却を決定してよい。第２の価格としては、ユーザにより指定された価格、電力供給装置１２４の蓄電設備に蓄積されている電気の平均購入単価などを例示することができる。
【０１３０】
配信部２２８は、電気機器１３２、電気機器１３４、電力量計１４４及び需要者端末１５２の少なくとも一つのユーザに対して、広告情報を配信してよい。配信部２２８は、電気機器１３２、電気機器１３４、電力量計１４４及び需要者端末１５２の少なくとも一つに広告情報を配信してもよく、上記のユーザの情報処理端末に広告情報を配信してよい。情報処理端末は携帯端末であってよい。配信部２２８は、上記のユーザがアクセスすることのできるＷｅｂサイトに広告情報を配信してもよい。配信部２２８は、電気機器１３２及び電気機器１３４の仕様、利用状況などに関する情報に基づいて、配信する広告情報を選択してよい。
【０１３１】
広告情報は、上記のユーザに対して告知される情報であれば、その内容は特に限定されない。広告情報は、広告提供者の商品又はサービスに関する情報であってもよい。商品又はサービスに関する情報は、商品又はサービスの割引情報（クーポン情報と称される場合がある。）、イベントの告知情報などであってよい。
【０１３２】
商品又はサービスに関する情報の他の例としては、広告提供者が公共交通機関である場合には、広告情報は、運休情報、遅延情報、渋滞情報などであってよい。また、広告提供者が天気予報サービスを提供する事業者又は行政庁である場合には、広告情報は、局所的な豪雨、落雷、突風などに関する警報又は注意報であってよい。広告情報は、災害に関する情報であってもよい。広告情報は、特定の地域に関する情報であってもよい。広告情報は、電気機器１３２、電気機器１３４、電力量計１４４及び需要者端末１５２の少なくとも一つに関する情報であってもよい。
【０１３３】
図３は、電力提供管理部２１６の一例を概略的に示す。本実施形態において、電力提供管理部２１６は、イベント検出部３１２と、選定部３１４と、開始決定部３１６と、終了決定部３１８とを備える。また、本実施形態において、情報格納部２２４には、エントリ機器リスト３３２と、電力提供機器リスト３３４と、機器情報データベース３３６と、選定条件３３８とが格納されている。なお、電力提供管理部２１６の各部における処理は、本実施形態に限定されない。電力提供管理部２１６の特定の部材における処理を、電力提供管理部２１６の他の部材が実行してもよい。
【０１３４】
イベント検出部３１２は、予め定められたイベントの発生を検出する。予め定められたイベントとしては、予想発電量の急増若しくは急減、予想消費電力量の急増若しくは急減、予め定められた時刻の到来、予め定められた時間の経過などを例示することができる。予め定められたイベントは、機器情報取得部２１４が、電気機器又は電力量計の電源がＯＮ又はＯＦＦになったことを示す情報を取得したことであってもよい。イベント検出部３１２は、需要者端末１５２における異常の発生を検知してもよい。
【０１３５】
予め定められた時間は、発電量の変動に基づいて設定されてよい。例えば、天候が急変することが予想される場合には、当該時間を短く設定してよい。これにより、需給バランスを良好に維持することができる。また、電力供給装置１２４が、昼間は主に太陽光発電設備により発電し、夜間は主に風力発電設備により発電する場合のように、昼間の発電量の変動と比較して夜間の発電量の変動が少ない場合には、夜間の設定値を昼間の設定値よりも長くしてよい。これにより、異なる発電方式を組み合わせて、需給バランスを良好に維持することができる。
【０１３６】
選定部３１４は、イベント検出部３１２が予め定められたイベント（選定イベントと称する場合がある。）の発生を検出した場合に、見做し処理の対象となりうる少なくとも１つの電気機器又は電力量計を選定する。本実施形態おいて、選定部３１４は、電力供給装置１２４などが提供することのできる電力又は電力量に基づいて、情報格納部２２４に格納されているエントリ機器リスト３３２に含まれる１以上の電気機器又は電力量計の中から、少なくとも１つの電気機器又は電力量計を選定する。選定部３１４は、選定結果を利用履歴生成部２２２に通知してよい。
【０１３７】
電力供給装置１２４などが提供することのできる電力又は電力量は、電力融通部２２６により調達することのできる電力又は電力量を含んでもよい。選定部３１４は、さらに、電力供給装置１２４により提供可能な電力若しくは電力量及び単価と、電力融通部２２６が調達することのできる電力若しくは電力量及び単価とに基づいて、少なくとも１つの電気機器又は電力量計を選定してもよい。
【０１３８】
本実施形態において、選定部３１４は、供給量予測部２１２により予測された電力又は電力量と、各電力機器の定格電力及び各電力機器又は各電力量計の予測消費電力量の少なくとも１つとに基づいて、見做し処理の対象となりうる少なくとも１つの電気機器又は電力量計を選定してよい。選定部３１４は、情報格納部２２４に格納されている機器情報データベース３３６を参照して、各電力機器の定格電力及び各電力機器又は各電力量計の予測消費電力量の少なくとも１つを取得してよい。
【０１３９】
需要者端末１５２に異常が発生していることが検知された場合、選定部３１４は、需要者端末１５２における異常の発生が検知される前の消費電力量に関する情報に基づいて、各電力機器又は各電力量計の予測消費電力量を算出してよい。例えば、選定部３１４は、異常の発生が検知された日の前日までの消費電力量に関する情報に基づいて、各電力機器又は各電力量計の予測消費電力量を算出する。一実施形態において、選定部３１４は、異常の発生が検知された日の前日までの消費電力量に関する情報を統計的に分析して、異常が発生している期間の消費電力量を予測してよい。
【０１４０】
選定部３１４は、さらに、情報格納部２２４に格納されている選定条件３３８に基づいて、見做し処理の対象となりうる少なくとも１つの電気機器又は電力量計を選定してよい。選定条件３３８としては、特定の種類の電気機器に優先的に電気を提供するという条件、電気が提供される需要者サイト１０４の個数が特定の条件を満たすという条件、機器の利用状況が特定の条件を満たすという条件、特定の属性を有するユーザに優先的に電気を提供するという条件などを例示することができる。
【０１４１】
特定の種類の電気機器は、冷蔵庫のように、１日のうち、電源がＯＮになっている時間の割合が特定の値よりも大きな機器であってよい。これにより、消費電力予測が容易になる。その結果、電力提供機器リスト３３４の更新頻度を低減することもできる。
【０１４２】
電気が提供される需要者サイト１０４の個数に関する条件としては、電力提供契約を締結している需要者サイト１０４の全体に対する、電気が提供される需要者サイト１０４の割合が特定の値よりも大きくなるという条件、電気が提供される需要者サイト１０４の個数を最大化するという条件などを例示することができる。これにより、電力供給装置１２４などにより供給される電気の提供先が特定の顧客に偏ることを防止できる。
【０１４３】
機器の利用状況に関する条件は、過去の利用状況に関する統計情報が特定の条件を満足するという条件であってよい。当該条件としては、例えば、１回あたりの平均利用時間が特定の値よりも小さい機器を優先する、特定の時間帯における利用確率が特定の値より大きい機器を優先するなどの条件を例示することができる。これにより、電力供給装置１２４などの供給曲線と、１以上の需要者サイト１０４における需要曲線との差を小さくすることができる。
【０１４４】
ユーザの属性としては、電力供給装置１２４などからの節電要請に協力的か否か、特定の商品を購入又は利用しているか否か、特定のサービスに加入しているか否か、特定のサービスの契約期間が特定の期間よりも長いか否か、特定のエリアに存在するか否か、提供された電力量の実績値が特定の条件を満足するか否かなどを例示することができる。特定のエリアは、供給者サイト１０２の近隣のエリアであってよい。例えば、供給者サイト１０２の近隣のエリアに存在する需要者サイト１０４に対して優先的に電力を供給することで、発電設備の普及又は誘致を促進させることができる。
【０１４５】
開始決定部３１６は、選定部３１４により選定された電気機器又は電力量計の少なくとも１つに対して見做し処理を開始することを決定する。例えば、開始決定部３１６は、選定部３１４により選定された電気機器又は電力量計のうち、電力提供機器リスト３３４に含まれない電気機器又は電力量計に対して、見做し処理を開始することを決定する。開始決定部３１６は、選定部３１４により選定された電気機器のうち、電力提供機器リスト３３４に含まれない電力量計により消費電力量を計測される電気機器に対して、見做し処理を開始することを決定してもよい。見做し処理の開始時刻は、選定時刻と同一であってもよく、異なってもよい。開始決定部３１６は、決定結果に関する情報を利用履歴生成部２２２に通知してよい。
【０１４６】
開始決定部３１６は、電力量計１４４の見做し処理が実施されている場合、選定部３１４により選定された電気機器のうち、電力量計１４４により消費電力量を計測されていない電気機器の少なくとも１つにおいて消費される電力又は電力量を、電力供給装置１２４などにより提供されるものとして扱うことを決定してもよい。開始決定部３１６は、電力量計１４４の見做し処理が実施されていない場合、選定部３１４により選定された電気機器の少なくとも１つにおいて消費される電力又は電力量を、電力供給装置１２４などにより提供されるものとして扱うことを決定してもよい。
【０１４７】
終了決定部３１８は、１以上の電気機器又は電力量計の少なくとも１つに対する見做し処理を終了することを決定する。例えば、終了決定部３１８は、電力提供機器リスト３３４に含まれる電気機器のうち、選定部３１４に選定されなかった電気機器又は電力量計に対する見做し処理を終了することを決定する。終了決定部３１８は、開始決定部３１６が特定の電力量計に対して見做し処理を開始することを決定した場合、当該特定の電力量計により消費電力量を計測される１以上の電気機器に対する見做し処理を終了することを決定してもよい。見做し処理の終了時刻は、選定時刻と同一であってもよく、異なってもよい。
【０１４８】
終了決定部３１８は、機器情報取得部２１４から、１以上の電気機器又は電力量計の電源がＯＦＦになったことを示す情報を受信してよい。上記の情報は、１以上の電気機器又は電力量計のそれぞれを識別する識別情報であってよい。この場合、終了決定部３１８は、受信した識別情報により識別される電気機器又は電力量計に対する見做し処理を終了することを決定してよい。終了決定部３１８は、決定結果に関する情報を利用履歴生成部２２２に通知してよい。
【０１４９】
本実施形態において、選定部３１４が、情報格納部２２４に格納されているエントリ機器リスト３３２に含まれる１以上の電気機器又は電力量計の中から、少なくとも１つの電気機器又は電力量計を選定する場合について説明した。しかし、選定部３１４は本実施形態に限定されない。
【０１５０】
他の実施形態において、選定部３１４は、他の供給者サイトに設置された他の管理サーバから、当該他の管理サーバによって管理される電気機器又は電力量計のリストを取得してもよい。選定部３１４は、他の管理サーバにより管理される電気機器又は電力量計のうち、電源がＯＮになっており、他の電力供給装置又は他の電力供給者により電気を提供されているものとして扱われていない機器の中から、電力供給装置１２４などにより電気を提供されているものとして扱われる機器を選定してもよい。
【０１５１】
本実施形態において、情報格納部２２４が、エントリ機器リスト３３２と、電力提供機器リスト３３４と、機器情報データベース３３６と、選定条件３３８とを格納する場合について説明した。しかし、情報格納部２２４は本実施形態に限定されない。他の実施形態において、情報格納部２２４は、エントリ機器リスト３３２及び電力提供機器リスト３３４を統合したリストを格納してもよい。他の実施形態において、情報格納部２２４は、１以上の需要者のそれぞれの前払金に関する情報を、１以上の需要者のそれぞれの識別情報と対応付けて格納してもよい。
【０１５２】
他の実施形態において、選定部３１４は、複数のエントリ機器リスト３３２に含まれる電気機器又は電力量計の中から、少なくとも１つの電気機器又は電力量計を選定してもよい。複数のエントリ機器リスト３３２には、優先順位が設定されていてもよい。
【０１５３】
図４は、配信部２２８の一例を概略的に示す。本実施形態において、配信部２２８は、情報収集部４１２と、広告情報格納部４１４と、抽出部４１６と、広告送信部４１８とを備える。
【０１５４】
情報収集部４１２は、１以上の電気機器又は電力量計に関する情報及び１以上の電気機器又は電力量計の利用状況に関する情報の少なくとも一方を収集する。情報収集部４１２は、例えば、ユーザから入力された情報、各電気機器又は各電力量計の製造者により提供されるＷＥＢサイト上の情報などを取得して、各電気機器又は各電力量計の仕様に関する情報を収集する。情報収集部４１２は、例えば、利用履歴生成部２２２により生成される利用履歴を解析して、各電気機器又は各電力量計の利用状況に関する情報を収集する。
【０１５５】
広告情報格納部４１４は、１以上の広告情報を格納する。抽出部４１６は、情報収集部４１２により収集された情報に基づいて、広告情報格納部４１４に格納されている１以上の広告情報のうち、１以上の電気機器又は電力量計の少なくとも１つのユーザに適した情報を抽出する。広告送信部４１８は、抽出部４１６により抽出された広告情報を上記ユーザに送信する。広告送信部４１８は、上記ユーザの電気機器、電力量計、需要者端末、携帯端末などに広告情報を送信してよい。
【０１５６】
図５は、需要者端末１５２の一例を概略的に示す。本実施形態において、需要者端末１５２は、要求受信部５１２と、要求処理部５１４と、負荷管理部５１６と、消費電力格納部５１８とを備える。本実施形態において、需要者端末１５２は、イベント監視部５２２と、制御信号送信部５２４とを備える。需要者端末１５２は、非常用電源５２６を備えてもよく、認証情報取得部５３２を備えてもよい。
【０１５７】
イベント監視部５２２は、イベント検知部及び遮断検出部の少なくとも１つの一例であってよい。制御信号送信部５２４は、制限信号選択部、制限信号送信部及び解除信号送信部の少なくとも１つの一例であってよい。認証情報取得部５３２は、認証ID取得部の一例であってよい。非常用電源５２６は、電源の一例であってよい。
【０１５８】
要求受信部５１２は、管理サーバ１２２からの要求を受信する。要求受信部５１２は、管理サーバ１２２との通信インターフェースであってよい。要求処理部５１４は、要求受信部５１２により受信された要求に従って、各種の情報処理を実行する。
【０１５９】
負荷管理部５１６は、需要者端末１５２と通信が確立された電気機器又は電力量計における電気の利用を管理する。本実施形態において、負荷管理部５１６は、電気機器１３４における消費電力量、及び、電力量計１４４により計測された消費電力量の少なくとも一方を管理する。例えば、負荷管理部５１６は、予め定められた時間間隔で、電気機器１３４の積算消費電力量を取得する。負荷管理部５１６は、予め定められた時間間隔で、電力量計１４４により計測された積算消費電力量を取得してもよい。積算消費電力量は、特定の時刻を基準とした積算消費電力量であってよい。積算消費電力量は、見做し処理が開始された時刻を基準とした積算消費電力量であってもよい。
【０１６０】
負荷管理部５１６は、取得した情報を管理サーバ１２２に送信する。負荷管理部５１６は、取得した情報を消費電力格納部５１８に格納しておき、ランダムな時間間隔で管理サーバ１２２に送信してもよい。これにより、複数の需要者サイト１０４に配された需要者端末１５２から、短期間の間に管理サーバ１２２に集中的に送信されることを防止できる。負荷管理部５１６は、管理サーバ１２２との間で通信を確立することができなかった場合、再度、送信処理を実行してもよい。負荷管理部５１６は、管理サーバ１２２との間で通信を確立することができなかった場合、送信処理を実行することができなかったことを示す通信ログを生成してよい。負荷管理部５１６は、管理サーバ１２２との間の通信が確立された場合に、通信ログを管理サーバ１２２に送信してよい。
【０１６１】
負荷管理部５１６は、電気機器１３４又は電力量計１４４が電力供給装置１２４などにより電気を提供されているものとして扱われているか否かに関する情報を保持してもよい。これにより、負荷管理部５１６は、管理サーバ１２２からの要求を処理する場合において、電気機器１３４又は電力量計１４４が電力供給装置１２４などにより電気を提供されているものとして扱われているか否かによって異なる処理を実行することができる。
【０１６２】
一実施形態において、負荷管理部５１６は、電気機器１３４から電源がＯＦＦになったことを示す情報を受信した場合において、電気機器１３４が電力供給装置１２４などにより電気を提供されているものとして扱われている場合には、電気機器１３４の電源がＯＦＦになったことを管理サーバ１２２に通知する前に、電気機器１３４に対して現在の積算消費電力量を通知するように要求する。これにより、負荷管理部５１６は、管理サーバ１２２に対して、電気機器１３４の電源がＯＦＦになったことと、電気機器１３４の現在の積算消費電力量とを同時に送信することができる。これにより、通信量を大幅に削減することができる。
【０１６３】
他の実施形態において、負荷管理部５１６は、予め定められた時刻の到来又は予め定められた期間の経過に伴って、需要者サイト１０４における電気の利用状況に関する情報を収集する場合において、電力供給装置１２４などにより電気を提供されているものとして扱われている電気機器又は電力量計についてのみ、当該情報を収集することができる。これにより、電気機器又は電力量計の情報を効率的に収集することができる。
【０１６４】
本実施形態において、負荷管理部５１６は、電力量計１４４に対して各種の要求を送信する。負荷管理部５１６は、電力量計１４４から送信された情報を受信する。負荷管理部５１６は、電力量計１４４と管理サーバ１２２との間の通信を仲介してもよい。負荷管理部５１６は、電気機器１３４及び電力量計１４４との通信インターフェースであってもよい。
【０１６５】
イベント監視部５２２は、予め定められたイベント（制限イベントと称する場合がある。）の発生を監視して、当該イベントを検知する。本実施形態によれば、イベント監視部５２２は、制限イベントを検知すると、当該イベントが検知されたことを示す情報を、制御信号送信部５２４に送信する。イベント監視部５２２は、制限イベントを検知すると、当該イベントが検知されたことを示す情報を需要者の情報処理端末に送信してよい。これにより、制限イベントの発生を需要者に通知することができる。制限イベントが検知されたことを示す情報は、検出された制限イベントの種類及び内容の少なくとも一方を示す情報であってよい。
【０１６６】
制限イベントとしては、需要者端末１５２に異常が生じていること、予め定められた期間における１以上の負荷装置の少なくとも１つによる消費電力量が予め定められた値より大きいこと、及び、予め定められた期間に１以上の負荷装置の少なくとも１つにより消費された電気の料金が予め定められた金額より大きいことの少なくとも１つを例示することができる。
【０１６７】
需要者端末１５２に異常が生じている状態としては、需要者端末１５２の故障が検知された状態、需要者端末１５２の電源がＯＮになっていない状態、需要者端末１５２への電力供給に異常が発生した状態、需要者端末１５２のセキュリティに異常が発生した状態、需要者端末１５２の設置された地域に予め定められた種類の災害が発生する恐れがある状態、需要者端末１５２の通信に異常が発生した状態、需要者端末１５２から出力されるデータに異常が発生した状態、及び、これらの組み合わせを例示することができる。
【０１６８】
需要者端末１５２は、筐体の外部に設けられた電源スイッチにより、電源のＯＮ／ＯＦＦを切り替えてよい。需要者端末１５２は、通信ネットワーク１２を介して、電源のＯＮ／ＯＦＦを切り替えてよい。需要者端末１５２は、近距離無線通信により、電源のＯＮ／ＯＦＦを切り替えてよい。需要者端末１５２は、需要者端末１５２に設けられたスロットに物理カードを挿入することにより需要者端末１５２の電源がＯＮになり、当該スロットから物理カードを引き抜くことにより電源がＯＦＦになるように構成されていてもよい。
【０１６９】
需要者端末１５２への電力供給に異常が発生した状態としては、需要者端末１５２への電力の供給が遮断された状態、需要者端末１５２に供給される電気の電圧又は電流が予め定められた値よりも小さい状態、需要者端末１５２に供給される電気の電圧変動又は電流変動が予め定められた値よりも大きい状態を例示することができる。需要者端末１５２のセキュリティに異常が発生した状態としては、需要者端末１５２の認証処理に障害が発生した状態、需要者端末１５２がハッキングされた可能性のある状態、需要者端末１５２がウイルスに感染した可能性のある状態などを例示することができる。
【０１７０】
需要者端末１５２の設置された地域に予め定められた種類の災害が発生する恐れがある状態としては、行政機関又は民間の予報会社から、当該災害が発生する可能性があることを示す情報を受信した状態を例示することができる。需要者端末１５２の通信に異常が発生した状態としては、管理サーバ１２２と需要者端末１５２との間の通信が遮断された状態、電力量計１４４と需要者端末１５２との間の通信を確立することができない状態、通信エラーの頻度が予め定められた値より大きい状態などを例示することができる。需要者端末１５２から出力されるデータに異常が発生した状態としては、電力使用量のデータが急増又は急減している状態などを例示することができる。
【０１７１】
予め定められた期間における１以上の負荷装置の少なくとも１つによる消費電力量が予め定められた値より大きいか否かは、需要者端末１５２により消費電力量を管理されている電気機器のうちの少なくとも１つによる消費電力量に基づいて決定してもよく、電力量計１４４により測定された消費電力量に基づいて決定してもよい。予め定められた期間に１以上の負荷装置の少なくとも１つにより消費された電気の料金が予め定められた金額より大きいか否かは、需要者端末１５２により消費電力量を管理されている電気機器のうちの少なくとも１つによる消費電力量に基づいて決定してもよく、電力量計１４４により測定された消費電力量に基づいて決定してもよい。イベント監視部５２２は、前払金の残高が予め定められた金額より小さい場合に、予め定められた期間に１以上の負荷装置の少なくとも１つにより消費された電気の料金が予め定められた金額より大きいと判断してもよい。
【０１７２】
イベント監視部５２２は、検出された制限イベントの種類及び内容の少なくとも一方に応じて、当該イベントが検知されたことを示す情報の送信先を決定してもよい。一実施形態によれば、需要者端末１５２に異常が生じている場合、イベント監視部５２２は、当該イベントが検知されたことを示す情報を、制御信号送信部５２４に送信する。一方、その他の制限イベントが検知された場合には、当該イベントが検知されたことを示す情報を、需要者の情報処理端末に送信する。
【０１７３】
これにより、検出された制限イベントの種類及び内容の少なくとも一方に応じて、電力の供給を実際に制限するか否かを決定することができる。また、制限イベントが検知されたことを示す情報を受信した需要者が、コールセンターなどに連絡することを促すことができる。なお、実際に電力の供給を制限するか否かの決定は、制御信号送信部５２４において実行されてもよい。
【０１７４】
他の実施形態によれば、イベント監視部５２２は、需要者端末１５２の異常のうち、当該異常の原因がユーザに起因する可能性の高い異常が生じている場合に、当該イベントが検知されたことを示す情報を制御信号送信部５２４に送信する。一方、その他の制限イベントが検知された場合には、当該イベントが検知されたことを示す情報を需要者の情報処理端末に送信する。これにより、ユーザの利便性の低下を抑制しつつ、異常の原因に応じて適切な処理を実行することができる。異常の原因がユーザに起因する可能性が高い異常としては、需要者端末１５２の電源がＯＮになっていない状態、需要者端末１５２への電力供給に異常が発生している状態、需要者端末１５２のセキュリティに異常が発生している状態を例示することができる。
【０１７５】
他の実施形態によれば、前払金の残高が予め定められた金額よりも大きい場合には、当該イベントが検知されたことを示す情報を、需要者の情報処理端末に送信する。一方、前払金の残高が予め定められた金額よりも小さい場合には、当該イベントが検知されたことを示す情報を、制御信号送信部５２４に送信する。
【０１７６】
イベント監視部５２２は、制限イベントの発生頻度に応じて、当該イベントが検知されたことを示す情報の送信先を決定してもよい。例えば、特定の制限イベントの発生頻度が予め定められた値よりも大きい場合、イベント監視部５２２は、当該イベントが検知されたことを示す情報を、制御信号送信部５２４に送信する。一方、特定の制限イベントの発生頻度が予め定められた値よりも小さい場合には、当該イベントが検知されたことを示す情報を、需要者の情報処理端末に送信する。
【０１７７】
イベント監視部５２２は、制限イベントを検知している間、当該イベントが検知されたことを示す情報を定期的に送信してよい。イベント監視部５２２は、制限イベントを検知したときに、当該イベントが検知されたことを示す情報を１度だけ送信してもよい。
【０１７８】
制御信号送信部５２４は、制限イベントが検知された場合に、分電装置１４２に制限信号を送信する。制御信号送信部５２４は、電力量計１４４を介して、分電装置１４２に制限信号を送信してもよい。
【０１７９】
制御信号送信部５２４は、分電装置１４２に解除信号を送信してよい。制御信号送信部５２４は、電力量計１４４を介して、分電装置１４２に解除信号を送信してもよい。制御信号送信部５２４は、イベント監視部５２２から制限イベントが検知されたことを示す情報を受信した後、当該情報を受信しない期間が、予め定められた期間を超えた場合に、解除信号を送信してよい。
【０１８０】
制御信号送信部５２４は、認証情報取得部５３２が認証情報を取得した場合に、解除信号を送信してよい。制御信号送信部５２４は、認証情報取得部５３２が認証情報を取得し、且つ、イベント監視部５２２から制限イベントが検知されたことを示す情報を受信していない場合に、解除信号を送信してよい。
【０１８１】
制御信号送信部５２４は、需要者端末１５２の認証処理が完了した場合に、解除信号を送信してもよい。制御信号送信部５２４は、需要者端末１５２の認証処理が完了し、且つ、イベント監視部５２２から制限イベントが検知されたことを示す情報を受信していない場合に、解除信号を送信してよい。
【０１８２】
制御信号送信部５２４は、電力量計１４４及び需要者端末１５２の通信が確立された場合に、解除信号を送信してもよい。制御信号送信部５２４は、電力量計１４４及び需要者端末１５２の通信が確立され、且つ、イベント監視部５２２から制限イベントが検知されたことを示す情報を受信していない場合に、解除信号を送信してよい。
【０１８３】
非常用電源５２６は、イベント監視部５２２が、電力供給者から需要者端末１５２への電力の供給が遮断されたことを検知した場合に、需要者端末１５２に電力を供給する。これにより、電力供給者から需要者端末１５２への電力の供給が遮断された場合であっても、分電装置１４２に制限信号を送信することができる。また、需要者サイト１０４における消費電力量の記録、管理サーバ１２２との通信などを継続することができる。
【０１８４】
認証情報取得部５３２は、需要者端末１５２の認証に用いられる認証情報を取得する。認証情報は、例えば、電力量計１４４及び需要者端末１５２の通信の確立に利用される。認証情報取得部５３２は、認証サーバ２０、管理サーバ１２２及び需要者の携帯端末の少なくとも１つから認証情報を取得してよい。
【０１８５】
図６は、情報格納部２２４に格納されるエントリ機器リスト３３２のデータテーブル６００の一例を概略的に示す。データテーブル６００は、需要者ＩＤ６０２と、機器ＩＤ６０４と、機器ＩＤ６０４により識別される電気機器又は電力量計の電源の状態６０６と、当該電気機器又は電力量計の電力の提供状況６０８と、当該電気機器又は電力量計が最後にＯＮになった時刻６１０と、当該電気機器又は電力量計が最後にＯＦＦになった時刻６１２とに関する情報を対応付けて格納する。なお、機器ＩＤ６０４により識別される機器が電力量計である場合、当該電力量計により計測された消費電力量が予め定められた値よりも大きい場合に、ＯＮであると判断してもよい。また、当該電力量計により計測された消費電力量が予め定められた値よりも小さい場合に、ＯＦＦであると判断してもよい。
【０１８６】
図７は、情報格納部２２４に格納される電力提供機器リスト３３４のデータテーブル７００の一例を概略的に示す。データテーブル７００は、需要者ＩＤ７０２と、機器ＩＤ７０４と、機器ＩＤ７０４により識別される電気機器又は電力量計に対する見做し処理の開始時刻７０６と、当該電気機器又は電力量計に対する見做し処理の終了時刻７０８と、開始時刻７０６から終了時刻７０８の間の消費電力量７１０と、開始時刻７０６から終了時刻７０８の間に提供されたものとみなされた電気の単価７１２に関する情報とを対応付けて格納する。
【０１８７】
データテーブル７００の各行には、１つの電力量計又は電気機器の情報（レコードと称する場合がある。）が格納される。これにより、同一の需要者サイト１０４に対して複数の電力供給装置又は複数の電力供給者により提供される電気が供給される場合であっても、各電力供給装置又は各電力供給者から提供されたものとみなされる電力量を特定することができる。
【０１８８】
データテーブル７００は、機器ＩＤ７０４に対応付けて、機器ＩＤ７０４により識別される電気機器又は電力量計の電源がＯＮになった時刻と、当該電気機器又は電力量計の電源がＯＦＦになった時刻とを格納してもよい。これにより、電気機器又は電力量計に対する見做し処理が開始されてから当該見做し処理が終了するまでの時間とは別に、電気機器又は電力量計の電源がＯＮになってから電源がＯＦＦになるまでの時間を管理することができる。なお、機器ＩＤ７０４と、機器ＩＤ７０４により識別される電気機器又は電力量計の電源がＯＮになった時刻と、当該電気機器又は電力量計の電源がＯＦＦになった時刻とを対応付けて格納する他のデータテーブルが用意されてもよい。
【０１８９】
一実施形態において、特定の電力量計の見做し期間中のレコードがデータテーブル７００に格納されている場合、当該特定の電力量計により消費電力量を計測される電気機器の当該見做し期間中のレコードは、データテーブル７００に格納されない。他の実施形態において、特定の電力量計の見做し期間中のレコードがデータテーブル７００に格納されている場合、当該特定の電力量計により消費電力量を計測される電気機器の当該見做し期間中のレコードにおいて、消費電力量７１０の欄には０ｋＷｈと記入される。
【０１９０】
図８は、データテーブル８００の一例を概略的に示す。データテーブル８００は、エントリ機器リスト３３２の他の例であってよい。データテーブル８００は、電源がＯＮになっている電気機器又は電力量計の情報を格納する。データテーブル８００は、需要者ＩＤ８０２と、機器ＩＤ８０４と、機器ＩＤ８０４により識別される電気機器又は電力量計が最後にＯＮになった時刻８０６とを対応付けて格納する。
【０１９１】
図９は、データテーブル９００の一例を概略的に示す。データテーブル９００は、電力提供機器リスト３３４の他の例であってよい。データテーブル９００は、電力供給装置１２４などにより電気が提供されているものとみなされている電気機器又は電力量計の情報を格納する。データテーブル９００は、需要者ＩＤ９０２と、機器ＩＤ９０４と、機器ＩＤ９０４により識別される電気機器又は電力量計に対して見做し処理の開始時刻９０６とを対応付けて格納する。
【０１９２】
図１０は、情報格納部２２４に格納されている機器情報データベース３３６のデータテーブル１０００の一例を概略的に示す。データテーブル１０００は、需要者ＩＤ１００２と、機器ＩＤ１００４と、機器ＩＤ１００４により識別される機器の仕様情報１００６と、当該機器の統計情報１００８と、当該機器の消費電力量を計測する電力量計の電力量計ＩＤ１０１０とを対応付けて格納する。上記の仕様情報１００６は、各機器の製造者１０６２、型番１０６４、定格消費電力１０６６などに関する情報を含む。統計情報１００８は、各機器の利用状況を解析して得られた統計情報であってよい。統計情報１００８は、各機器の平均消費電力１０８２、平均利用時間１０８４、時間帯ごとの利用確率１０８６などに関する情報を含んでよい。
【０１９３】
本実施形態において、データテーブル１０００は、機器ＩＤ１００４と、当該機器の消費電力量を計測する電力量計の電力量計ＩＤ１０１０とを対応付けて格納する。これにより、特定の電力量計により消費電力を計測される１以上の電気機器を特定することができる。その結果、例えば、電力提供機器リスト３３４に、電力量計のレコードと、当該電力量計により消費電力を計測される電気機器のレコードとが含まれる場合に、電力提供機器リスト３３４及びデータテーブル１０００を参照して、特定の電力量計により消費電力を計測される電気機器のレコードを抽出することができる。なお、本実施形態において、電力量計のレコードにおいて、電力量計ＩＤ１０１０には当該電力量計の機器ＩＤ１００４が記入されている。電力量計のレコードにおいて、電力量計ＩＤ１０１０には、当該機器が電力量計であることを示す情報が記入されてもよく、ＮＯＮＥが記入されてもよい。
【０１９４】
図１１は、管理サーバ１２２における処理の一例を概略的に示す。本実施形態によれば、ステップ１１０２（ステップをＳと省略する場合がある。）において、イベント検出部３１２が、予め定められたイベントの発生を検出する。Ｓ１１０４において、電力提供管理部２１６の選定部３１４が、電力供給装置１２４などにより供給することができる電力又は電力量に応じて、エントリ機器リスト３３２に含まれる電気機器又は電力量計のうち、データテーブル６００の電源の状態６０６に電源がＯＮになっていることを示す情報が付与されている電気機器又は電力量計の中から、電力供給装置１２４などにより電気が提供されるものとして扱われる電気機器又は電力量計を選定する。選定部３１４は、情報格納部２２４に格納されている選定条件３３８に基づいて、見做し処理の対象となる電気機器又は電力量計を選定してもよい。
【０１９５】
Ｓ１１０４において、選定部３１４は、エントリ機器リスト３３２を参照して、今回の選定において選定された電気機器又は電力量計のうち、データテーブル６００の電力の提供状況６０８の欄に、電力の提供状況が「未提供」であることを示す情報が付与されている電気機器又は電力量計の識別情報を抽出する。選定部３１４は、抽出された識別情報を開始決定部３１６に通知する。当該通知を受領した開始決定部３１６は、当該通知に含まれる識別情報で識別される電気機器又は電力量計に対して見做し処理を開始することを決定する。見做し処理の開始時刻が到来すると、開始決定部３１６は見做し処理を開始する。
【０１９６】
同様に、選定部３１４は、エントリ機器リスト３３２を参照して、データテーブル６００の電力の提供状況６０８に電力の提供状況が「提供中」であることを示す情報が付与されている電気機器又は電力量計のうち、今回の選定において選定されなかった電気機器又は電力量計の識別情報を抽出する。選定部３１４は、抽出された識別情報を終了決定部３１８に通知する。当該通知を受領した終了決定部３１８は、当該通知に含まれる識別情報で識別される電気機器に対する見做し処理を終了することを決定する。見做し処理の終了時刻が到来すると、終了決定部３１８は見做し処理を終了する。
【０１９７】
選定部３１４は、選定結果に基づいて、データテーブル６００の電力の提供状況６０８を更新してよい。開始決定部３１６及び終了決定部３１８は、決定結果に基づいて、データテーブル６００の電力の提供状況６０８を更新してよい。
【０１９８】
Ｓ１１０６において、要求送信部２１８は、見做し処理を終了することが決定された電気機器又は電力量計に対して、見做し期間における消費電力量を決定するための処理を実行させるための要求を生成する。要求送信部２１８は、上記の電気機器又は電力量計に、生成した要求を送信する。なお、要求送信部２１８は、見做し処理を開始することが決定された電気機器又は電力量計に対して、将来、消費電力量を決定するために必要となる処理を実行させるための要求を生成してもよい。要求送信部２１８は、上記の電気機器又は電力量計に生成した要求を送信してよい。
【０１９９】
Ｓ１１０８において、利用履歴生成部２２２は、開始決定部３１６及び終了決定部３１８のそれぞれから、決定結果に関する情報を取得する。利用履歴生成部２２２は、取得した情報に基づいて、電力提供機器リスト３３４を更新してよい。
【０２００】
本実施形態によれば、管理サーバ１２２は、まず、特定の電力供給装置又は特定の電力供給者により供給することのできる電力又は電力量に応じて、当該特定の電力供給装置又は特定の電力供給者により電気を提供されるものとして扱われうる１以上の電気機器又は電力量計を選定する。次に、管理サーバ１２２は、選定された１以上の電気機器又は電力量計が、当該特定の電力供給装置又は特定の電力供給者により電気を提供されているものとして扱うことを決定する。これにより、電力供給曲線と、電力需要曲線との乖離を小さくすることができる。
【０２０１】
図１２は、情報格納部２２４に格納される電力提供機器リスト３３４のデータテーブル１２００の一例を概略的に示す。データテーブル１２００は、需要者ＩＤ１２０２と、機器ＩＤ１２０４と、機器ＩＤ１２０４により識別される電気機器又は電力量計に対する見做し処理の開始時刻１２０６と、当該電気機器又は電力量計に対する見做し処理の終了時刻１２０８と、開始時刻１２０６から終了時刻１２０８の間において、電気を提供するものとみなされた電力供給者の供給者ＩＤ１２１０と、開始時刻１２０６から終了時刻１２０８の間において、供給者ＩＤ１２１０により識別される電力供給者により提供されるものとみなされた電力量１２１２と、開始時刻１２０６から終了時刻１２０８の間の消費電力量１２１４とを対応付けて格納する。
【０２０２】
これにより、同一の需要者サイト１０４に対して複数の電力供給装置又は複数の電力供給者により提供される電気が供給される場合であっても、各電力供給装置又は各電力供給者から提供されたものとみなされる電力量を特定することができる。なお、供給者ＩＤ１２１０の代わりに、開始時刻１２０６から終了時刻１２０８の間において電気を提供するものとみなされた電力供給装置のＩＤが利用されてもよい。
【０２０３】
一実施形態として、電力量計１４４の需要者ＩＤ１２０２が「０００１」であり、機器ＩＤ１２０４が「０１０１」である場合を例として、データテーブル１２００について説明する。例えば、１０時２５分になると、電力提供管理部２１６は、１０時３０分から１０時５９分までの間に、電力量計１４４により消費電力を計測される電気機器１３２及び電気機器１３４により消費される電力量のうち、１以上の電力供給者のそれぞれにより提供されるものとみなされる見做し電力量を決定する。
【０２０４】
電力提供管理部２１６は、決定された電力量をデータテーブル１２００の見做し電力量１２１２の欄に記入する。本実施形態においては、供給者ＩＤ１２１０が「Ｓ００１」である電力供給者により提供される電力量が２０ｋＷｈであり、供給者ＩＤ１２１０が「Ｓ００２」である電力供給者により提供される電力量が１０ｋＷｈであり、供給者ＩＤ１２１０が「Ｓ００３」である電力供給者により提供される電力量が２０ｋＷｈであるものとみなされる。
【０２０５】
例えば、１０時３５分になると、電力提供管理部２１６は、需要者端末１５２から、１０時３０分に電力量計１４４により計測された積算消費電力量の情報を受信する。また、１１時０５分になると、電力提供管理部２１６は、需要者端末１５２から、１１時００分に電力量計１４４により計測された積算消費電力量の情報を受信する。電力提供管理部２１６は、１１時００分における積算消費電力量から、１０時３０分における積算消費電力量を引いて、１０時３０分から１０時５９分までの間に電気機器１３２及び電気機器１３４により消費された電力量を算出する。
【０２０６】
電力提供管理部２１６は、算出された消費電力量をデータテーブル１２００の消費電力量１２１４の欄に記入する。これにより、例えば、利用履歴生成部２２２は、見做し電力量１２１２に記入された電力量と、当該時刻における当該供給者により提供される電気料金とを利用して、電力料金の精算処理を実行することができる。
【０２０７】
他の実施形態として、電力量計１４４の需要者ＩＤ１２０２が「０００３」であり、機器ＩＤ１２０４が「０１０３」である場合を例として、データテーブル１２００について説明する。例えば、１０時２５分になると、電力提供管理部２１６は、１０時３０分から１０時５９分までの間に、電力量計１４４により消費電力を計測される電気機器１３２及び電気機器１３４により消費される電力量のうち、１以上の電力供給者のそれぞれにより提供されるものとみなされる見做し電力量を決定する。
【０２０８】
電力提供管理部２１６は、決定された電力量をデータテーブル１２００の見做し電力量１２１２の欄に記入する。本実施形態においては、供給者ＩＤ１２１０が「Ｓ００１」である電力供給者により提供される電力量が２０ｋＷｈであり、供給者ＩＤ１２１０が「Ｓ００２」である電力供給者により提供される電力量が１０ｋＷｈであるものとみなされる。一方、供給者ＩＤ１２１０が「Ｓ００３」である電力供給者により提供される電力量については特定されていない。
【０２０９】
例えば、１０時３５分になると、電力提供管理部２１６は、需要者端末１５２から、１０時３０分に電力量計１４４により計測された積算消費電力量の情報を受信する。また、１１時０５分になると、電力提供管理部２１６は、需要者端末１５２から、１１時００分に電力量計１４４により計測された積算消費電力量の情報を受信する。電力提供管理部２１６は、１１時００分における積算消費電力量から、１０時３０分における積算消費電力量を引いて、１０時３０分から１０時５９分までの間に電気機器１３２及び電気機器１３４により消費された電力量を算出する。また、電力提供管理部２１６は、算出された消費電力量と、供給者ＩＤ１２１０が「Ｓ００１」及び「Ｓ００２」で表される電力供給者の見做し電力量とに基づいて、供給者ＩＤ１２１０が「Ｓ００３」で表される電力供給者の見做し電力量を算出する。
【０２１０】
電力提供管理部２１６は、算出された消費電力量を、データテーブル１２００の消費電力量１２１４の欄に記入する。電力提供管理部２１６は、算出された供給者ＩＤ１２１０が「Ｓ００３」で表される電力供給者の見做し電力量を、データテーブル１２００の見做し電力量１２１２の欄に記入する。これにより、例えば、利用履歴生成部２２２は、見做し電力量１２１２に記入された電力量と、当該時刻における当該供給者により提供される電気料金とを利用して、電力料金の精算処理を実行することができる。
【０２１１】
図１３は、イベント監視部５２２の一例を概略的に示す。本実施形態において、イベント監視部５２２は、端末監視部１３１２と、消費電力量監視部１３１４と、電気料金監視部１３１６とを備える。端末監視部１３１２は、イベント検知部及び遮断検出部の少なくとも一方の一例であってよい。消費電力量監視部１３１４及び電気料金監視部１３１６のそれぞれは、イベント検知部の一例であってよい。
【０２１２】
端末監視部１３１２は、需要者端末１５２を監視する。端末監視部１３１２は、需要者端末１５２に異常が生じているか否かを決定する。消費電力量監視部１３１４は、需要者サイト１０４に配された１以上の機器の消費電力量を監視する。消費電力量監視部１３１４は、予め定められた期間における１以上の機器の少なくとも１つによる消費電力量が予め定められた値より大きいか否かを決定する。電気料金監視部１３１６は、需要者サイト１０４に配された１以上の機器により消費された電気の料金を監視する。電気料金監視部１３１６は、各需要者の前払金の残高を監視してもよい。電気料金監視部１３１６は、予め定められた期間に１以上の機器の少なくとも１つにより消費された電気の料金が予め定められた金額より大きいか否かを決定する。
【０２１３】
図１４は、制御信号送信部５２４の一例を概略的に示す。本実施形態において、制御信号送信部５２４は、制御信号格納部１４１２と、制御信号選択部１４１４とを備える。制御信号選択部１４１４は、制限信号選択部、制限信号送信部及び解除信号送信部の少なくとも１つの一例であってよい。
【０２１４】
制御信号格納部１４１２は、１以上の制御信号のそれぞれにより送信される指示又は命令を、制御信号を送信すべき条件と対応付けて格納する。制御信号を送信すべき条件は、イベント監視部５２２により検知されるイベントの種類、内容及びそれらの組み合わせにより決定される。
【０２１５】
制御信号としては、（ｉ）分電装置１４２から、分電装置１４２により電力を供給される１以上の機器への電力の供給を停止することを指示する停止信号、（ｉｉ）分電装置１４２から、分電装置１４２により電力を供給される１以上の機器に供給される総電流の上限値を設定するための設定信号、（ｉｉｉ）分電装置１４２に課せられた制限を解除することを指示する解除信号などを例示することができる。
【０２１６】
総電流の上限値は、制限イベントの種類及び内容の少なくとも一方に応じて設定されてよい。総電流の上限値は、需要者の契約アンペア数よりも小さな値に設定されてよい。
【０２１７】
制御信号選択部１４１４は、イベント監視部５２２が制限イベントを検知した場合に、制限信号を分電装置１４２に送信する。本実施形態において、制御信号選択部１４１４は、まず、イベント監視部５２２から、検知された制限イベントの種類及び内容の少なくとも一方を示す情報を受信する。次に、制御信号選択部１４１４は、制御信号格納部１４１２を参照して、検知された制限イベントの種類及び内容に基づいて、検知された制限イベントに応じた制御信号を選択する。制御信号選択部１４１４は、選択された制御信号を、分電装置１４２に送信する。
【０２１８】
制御信号選択部１４１４は、イベント監視部５２２から制限イベントが検知されたことを示す情報を受信した後、当該情報を受信しない期間が予め定められた期間を超えた場合に、解除信号を分電装置１４２に送信してよい。制御信号選択部１４１４は、認証情報取得部５３２が認証情報を取得した場合、需要者端末１５２の認証処理が完了した場合、又は、電力量計１４４及び需要者端末１５２の通信が確立された場合に、解除信号を分電装置１４２に送信してもよい。制御信号選択部１４１４は、認証情報取得部５３２が認証情報を取得した場合、需要者端末１５２の認証処理が完了した場合、又は、電力量計１４４及び需要者端末１５２の通信が確立された場合であって、イベント監視部５２２から制限イベントが検知されたことを示す情報を受信していない場合に、解除信号を分電装置１４２に送信してもよい。
【０２１９】
図１５は、認証情報取得部５３２の一例を概略的に示す。本実施形態において、認証情報取得部５３２は、認証ＩＤ取得部１５１２と、暗証情報取得部１５１４と、認証情報通信部１５１６とを備える。
【０２２０】
本実施形態おいては、需要者端末１５２が、電力量計１４４における需要者端末１５２の認証に用いられる認証ＩＤをユーザから取得する場合を例として、需要者端末１５２における情報処理について説明する。本実施形態によれば、特定の需要者が、複数の需要者サイトで電気を利用した場合であっても、当該需要者が利用した電力量を管理することができる。また、不特定多数のユーザが利用する施設において、当該施設を利用したユーザの消費電力量をユーザごとに管理することができる。また、ユーザから認証ＩＤを取得できない場合には、電力量計１４４及び需要者端末１５２の通信が遮断されるので、不正利用を抑制することができる。
【０２２１】
認証ＩＤ取得部１５１２は、需要者端末１５２の認証ＩＤを取得する。需要者端末１５２の認証ＩＤは、電力量計１４４における需要者端末１５２の認証に利用されるＩＤ番号であってよい。認証ＩＤは、Ｂルート認証ＩＤであってよい。本実施形態において、認証ＩＤ取得部１５１２は、近距離無線通信により、ユーザの携帯端末４０から認証ＩＤを取得する。
【０２２２】
近距離無線通信としては、ＲＦＩＤ（Ｒａｄｉｏ  Ｆｒｅｑｕｅｎｃｙ  ＩＤｅｎｔｉｆｉｃａｔｉｏｎ）、ＮＦＣなどの短距離無線通信、Ｂｌｕｅｔｏｏｔｈ（登録商標）、ＺｉｇＢｅｅ（登録商標）などの無線ＰＡＮ、（登録商標）Ｗｉ−Ｆｉなどの無線ＬＡＮ、ＷｉＭＡＸなどの無線ＭＡＮ、赤外線通信を例示することできる。携帯端末４０は、ＲＦタグ、ＩＣタグ、Ｆｅｌｉｃａ（登録商標）チップなどのＩＣチップを有する非接触ＩＣカードであってもよく、近距離無線通信機能を有する情報処理端末であってもよい。情報処理端末としては、パーソナルコンピュータ、携帯電話、スマートホン、タブレット、ウェアラブル端末などを例示することができる。
【０２２３】
本実施形態において、認証ＩＤ取得部１５１２が携帯端末４０から認証ＩＤを取得する場合について説明した。しかし、認証ＩＤ取得部１５１２は本実施形態に限定されない。認証ＩＤ取得部１５１２は、ユーザが需要者端末１５２の入力装置に入力した認証ＩＤを、当該入力装置から取得してもよい。
【０２２４】
暗証情報取得部１５１４は、上記の認証ＩＤに対応する暗証情報を取得する。暗証情報としては、パスワード、パスフレーズなどを例示することができる。暗証情報取得部１５１４は、ユーザが需要者端末１５２の入力装置に入力した暗証情報を、当該入力装置から取得してよい。暗証情報取得部１５１４は、ユーザが携帯端末４０に入力した暗証情報を、近距離無線通信により、ユーザの携帯端末４０から取得してもよい。
【０２２５】
本実施形態において、認証情報通信部１５１６は、認証ＩＤ取得部１５１２により取得された認証ＩＤと、暗証情報取得部１５１４により取得された暗証情報とを対応付けて、電力量計１４４に送信する。認証情報通信部１５１６は、電力量計１４４から、電力量計１４４による認証処理の結果を受信する。認証情報通信部１５１６は、電力量計１４４から、需要者端末１５２の認証処理が正常に完了したことを示す情報を受信すると、当該情報をイベント監視部５２２に送信する。
【０２２６】
本実施形態において、需要者端末１５２が、電力量計１４４における需要者端末１５２の認証に用いられる認証ＩＤを需要者から取得する場合を例として、需要者端末１５２における情報処理について説明した。しかし、需要者端末１５２における情報処理は本実施形態に限定されない。他の実施形態によれば、需要者端末１５２が、需要者端末１５２におけるユーザの認証に用いられる認証ＩＤを需要者から取得してもよい。この場合、電力量計１４４における需要者端末１５２の認証処理は既に完了しており、電力量計１４４及び需要者端末１５２の通信は確立されていてもよい。
【０２２７】
図１６は、データテーブル１６００の一例を概略的に示す。データテーブル１６００は、例えば、情報格納部２２４に格納される。データテーブル１６００は、消費電力格納部５１８に格納されてもよい。図１３に関連して説明した消費電力量監視部１３１４は、データテーブル１６００を参照して、予め定められた期間における１以上の負荷装置の少なくとも１つによる消費電力量が予め定められた値より大きいことを検知してよい。また、電気料金監視部１３１６は、データテーブル１６００を参照して、予め定められた期間に１以上の負荷装置の少なくとも１つにより消費された電気の料金が予め定められた金額より大きいことを検知してよい。
【０２２８】
本実施形態において、データテーブル１６００は、需要者ＩＤ１６１２と、需要者端末ＩＤ１６１４と、携帯端末ＩＤ１６１６と、今月の消費電力量１６１８を示す情報と、今月の電気料金１６２０を示す情報と、前払金残高１６２２を示す情報とを対応づけて格納する。データテーブル１６００に格納された１以上のレコードのそれぞれは、需要者ＩＤ１６１２と、需要者端末ＩＤ１６１４、携帯端末ＩＤ１６１６、今月の消費電力量１６１８を示す情報、今月の電気料金１６２０を示す情報及び前払金残高１６２２を示す情報の少なくとも１つとが対応付けられた情報の一例であってよい。
【０２２９】
今月の消費電力量１６１８は、予め定められた期間における１以上の負荷装置の少なくとも１つによる消費電力量の一例であってよい。今月の電気料金１６２０は、予め定められた期間に１以上の負荷装置の少なくとも１つにより消費された電気の料金の一例であってよい。
【０２３０】
本実施形態においては、データテーブル１６００が、需要者ごと又は需要者端末ごとに、今月の消費電力量１６１８、今月の電気料金１６２０及び前払金残高１６２２を示す情報を格納する場合について説明した。しかし、データテーブル１６００は本実施形態に限定されない。他の実施形態において、データテーブル１６００は、電力量計ごとに、月の電気料金１６２０及び前払金残高１６２２を示す情報を格納してよい。他の実施形態において、データテーブル１６００は、電気機器ごとに、月の電気料金１６２０及び前払金残高１６２２を示す情報を格納してよい。
【０２３１】
図１７は、需要者端末１５２の認証処理の一例を概略的に示す。本実施形態によれば、まず、ステップ１７０２において、需要者端末１５２又は需要者端末１５２を管理する管理サーバ１２２が、電力量計１４４を管理する認証サーバ２０に対して、電力量計１４４の利用申請を送信する。
【０２３２】
ステップ１７０４において、認証サーバ２０は、電力量計１４４の利用の可否を判断する。認証サーバ２０は、電力量計１４４の利用を許可する場合には、電力量計１４４において需要者端末１５２を認証するための認証ＩＤ及び暗証情報を含む認証情報を、電力量計１４４に送信する。また、認証サーバ２０は、上記の認証情報を管理サーバ１２２又は需要者端末１５２に送信する。
【０２３３】
ステップ１７１２において、電力量計１４４は、認証サーバ２０から認証情報を取得する。ステップ１７２２において、管理サーバ１２２は、認証サーバ２０から認証情報を取得する。管理サーバ１２２は、取得した認証情報を需要者端末１５２のユーザに通知する。ステップ１７２４において、管理サーバ１２２は、データテーブル１６００を更新して、上記のユーザの需要者ＩＤ１６１２と、需要者端末１５２の需要者端末ＩＤ１６１４とを対応付ける。
【０２３４】
次に、ステップ１７３２において、需要者端末１５２の認証ＩＤ取得部１５１２が、ユーザから認証ＩＤを取得する。また、暗証情報取得部１５１４が、ユーザから暗証情報を取得する。ステップ１７３４において、需要者端末１５２の認証情報通信部１５１６が、認証ＩＤ及び暗証情報を電力量計１４４に送信する。電力量計１４４は、認証サーバ２０から受信した認証ＩＤ及び暗証情報と、需要者端末１５２から受信した認証ＩＤ及び暗証情報とを比較して、両者が一致する場合に、需要者端末１５２を認証する。電力量計１４４は、需要者端末１５２を認証した場合、通信の確立に必要な情報を需要者端末１５２に送信する。その後、電力量計１４４及び需要者端末１５２の間で通信の確立処理が実行される。
【０２３５】
電力量計１４４及び需要者端末１５２の間で通信が確立された後、需要者端末１５２は、分電装置１４２に解除信号を送信してもよい。一実施形態において、需要者端末１５２は、電力量計１４４及び需要者端末１５２の間で通信が確立された後、まず、分電装置１４２に解除信号を送信する。次に、需要者端末１５２は、制限イベントの検知の有無を判断して、制限イベントを検知した場合には、分電装置１４２に制限信号を送信する。上述のとおり、需要者端末１５２は、制限イベントが検知されたことを示す情報を、需要者の情報処理端末に送信してもよい。他の実施形態において、需要者端末１５２は、電力量計１４４及び需要者端末１５２の間で通信が確立された後、まず、制限イベントの検知の有無を判断して、制限イベントを検知しない場合に、分電装置１４２に解除信号を送信してもよい。
【０２３６】
図１８は、データテーブル１８００の一例を概略的に示す。データテーブル１８００は、例えば、情報格納部２２４に格納される。データテーブル１８００は、電力供給装置１２４に設けられた蓄電設備に関する電力提供機器リストの一例であってよい。本実施形態において、データテーブル１８００は、蓄電設備が蓄電する電気の電力供給者を示す供給者ＩＤ１８０２と、当該蓄電設備に蓄電された電気を使用する電力需要者を示す需要者ＩＤ１８０４と、当該蓄電設備に対して電力が提供されているものと見做される見做し処理の開始時刻１８０６と、当該見做し処理の終了時刻１８０８と、当該電力の電力量１８１０及び単価１８１２と、当該蓄電池の電池残量１８１４と、当該蓄電池に蓄積されている電気の平均購入単価１８１６とを対応づけて格納する。電池残量１８１４は、見做し処理の開始時刻１８０６における値であってもよく、見做し処理の終了時刻１８０８における値であってもよい。平均購入単価１８１６見做し処理の開始時刻１８０６における値であってもよく、見做し処理の終了時刻１８０８における値であってもよい。
【０２３７】
なお、データテーブル１８００は、供給者ＩＤ１８０２の代わりに、又は、供給者ＩＤ１８０２とともに、電力供給装置の識別情報を格納してよい。データテーブル１８００は、需要者ＩＤ１８０４の代わりに、又は、需要者ＩＤ１８０４とともに、蓄電装置から電力を供給されるものと見做される電力機器の識別情報を格納してもよい。また、データテーブル１８００は、蓄電装置から電力を提供する場合の情報を格納しなくてもよい。この場合、データテーブル１８００は、需要者ＩＤ１８０４を格納しなくてよい。
【０２３８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。
【０２３９】
各実施形態において、各ステップを実施する順序及びタイミングは、技術的に矛盾が生じない範囲において、適宜、変更することができる。さらに、技術的に矛盾が生じない範囲において、Ａ又はＢという事項を、Ａ及びＢの少なくとも一方と読み替えてもよい。その様な変更または改良を加えた形態も本発明の技術的範囲に含まれ得ることが、特許請求の範囲の記載から明らかである。
【０２４０】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【０２４１】
本願明細書には、下記の事項が記載されている。下記の事項に、多様な変更または改良を加えることが可能であることもまた、当業者に明らかである。また、これらの特徴群のサブコンビネーションもまた、発明となりうる。
［項目］
１以上の負荷装置の少なくとも１つにより消費される消費電力量の少なくとも一部を、前記電力供給装置又は前記電力供給者により提供されるものと見做す見做し処理を開始することを決定する開始決定部と、
前記見做し処理を終了することを決定する終了決定部と、
前記終了決定部により前記見做し処理を終了することが決定された負荷装置又は前記管理装置に対して、前記見做し処理が開始されてから前記見做し処理が終了されるまでの期間における当該負荷装置の消費電力量を決定するための処理を実行させるための要求を送信する要求送信部と、
を備える、
電力管理システム。
［項目１−１］
通信ネットワークを介して、電源がＯＮになっている１以上の負荷装置又は上記１以上の負荷装置の電力消費状況を管理する管理装置から、上記１以上の負荷装置のそれぞれの識別情報を取得する情報取得部と、
上記１以上の負荷装置に提供可能な電力又は電力量に基づいて、上記識別情報により識別される上記１以上の負荷装置の中から、複数の電力供給装置のうちの第１の電力供給装置又は複数の電力供給者のうちの第１の電力供給者により電気を提供されるものとして扱われうる少なくとも１つの負荷装置を選定する選定部と、
上記選定部により選定された負荷装置の少なくとも１つに対して、上記第１の電力供給装置又は上記第１の電力供給者により電気が提供されるものとみなす見做し処理を開始するか否かを決定する開始決定部と、
上記１以上の負荷装置の少なくとも１つに対する上記見做し処理を終了するか否かを決定する終了決定部と、
上記終了決定部により上記見做し処理を終了することが決定された負荷装置又は上記管理装置に対して、上記見做し処理が開始されてから上記見做し処理が終了されるまでの期間における、上記終了決定部により上記見做し処理を終了することが決定された負荷装置の消費電力量を決定するための処理を実行させるための要求を送信する要求送信部と、
を備える、
電力管理システム。
［項目１−２］
上記情報取得部は、上記１以上の負荷装置の少なくとも１つの電源がＯＦＦになった場合に、電源がＯＦＦになった負荷装置の識別情報を取得し、
上記終了決定部は、上記電源がＯＦＦになった負荷装置の識別情報により識別される負荷装置に対する見做し処理を終了することを決定する、
項目１−１に記載の電力管理システム。
［項目１−３］
上記要求送信部は、上記開始決定部により上記見做し処理を開始することが決定された負荷装置又は上記管理装置に対して、上記見做し処理が開始されてから上記見做し処理が終了されるまでの期間における、上記開始決定部により上記見做し処理を開始することが決定された負荷装置の消費電力量を決定するための処理を実行させるための要求を送信する、
項目１−１又は項目１−２に記載の電力管理システム。
［項目１−４］
予め定められたイベントの発生を検出するイベント検出部を更に備え、
上記選定部は、上記イベント検出部が上記予め定められたイベントの発生を検出した場合に、上記第１の電力供給装置又は上記第１の電力供給者により電気を提供されるものとして扱われうる少なくとも１つの負荷装置を選定する、
項目１−１から項目１−３までの何れか一項に記載の電力管理システム。
［項目１−５］
上記１以上の負荷装置のそれぞれの識別情報と、上記見做し処理が開始されてから上記見做し処理が終了されるまでの期間に関する情報と、上記期間における消費電力量と、上記期間における電力の単価とが対応付けられた利用履歴を格納する利用履歴格納部を更に備える、
項目１−１から項目１−４までの何れか一項に記載の電力管理システム。
［項目１−６］
第２の電力供給装置又は第２の電力供給者から電力を調達する電力調達部を更に備え、
上記選定部は、上記電力調達部が調達することのできる電力量を含む、上記１以上の負荷装置に提供可能な電力量に基づいて、上記第１の電力供給装置又は上記第１の電力供給者により電気を提供されるものとして扱われうる少なくとも１つの負荷装置を選定する、
項目１−１から項目１−５までの何れか一項に記載の電力管理システム。
［項目１−７］
上記１以上の負荷装置に関する情報及び上記１以上の負荷装置の利用状況に関する情報の少なくとも一方を収集する情報収集部と、
１以上の広告情報を格納する広告情報格納部と、
上記情報収集部により収集された情報に基づいて、上記１以上の広告情報のうち、上記１以上の負荷装置の少なくとも１つのユーザに適した情報を抽出する抽出部と、
抽出部により抽出された広告情報を上記ユーザに送信する広告送信部と、
を更に備える、
項目１−１から項目１−６までの何れか一項に記載の電力管理システム。
［項目１−８］
上記開始決定部は、上記１以上の負荷装置のそれぞれのユーザが、予め定められた商品又はサービスのユーザである場合に、上記１以上の負荷装置のそれぞれが上記第１の電力供給装置又は上記第１の電力供給者により電気を提供されるものとして扱われる確率、及び、上記第１の電力供給装置又は上記第１の電力供給者により提供されるものとして扱われる消費電力量の少なくとも一方が大きくなるように、上記見做し処理を開始するか否かを決定する、
項目１−１から項目１−７までの何れか一項に記載の電力管理システム。
［項目１−９］
上記管理装置を更に備える、
項目１−１から項目１−８までの何れか一項に記載の電力管理システム。
［項目１−１０］
コンピュータを、項目１−１から項目１−９までの何れか一項に記載の電力管理システムとして機能させるためのプログラム。
［項目１−１１］
通信ネットワークを介して、電源がＯＮになっている１以上の負荷装置又は上記１以上の負荷装置の電力消費状況を管理する管理装置から、上記１以上の負荷装置のそれぞれの識別情報を取得する情報取得段階と、
上記１以上の負荷装置に提供可能な電力又は電力量に基づいて、上記識別情報により識別される上記１以上の負荷装置の中から、複数の電力供給装置のうちの第１の電力供給装置又は複数の電力供給者のうちの第１の電力供給者により電気を提供されるものとして扱われうる少なくとも１つの負荷装置を選定する選定段階と、
上記選定部により選定された負荷装置の少なくとも１つに対して、上記第１の電力供給装置又は上記第１の電力供給者により電気が提供されるものとみなす見做し処理を開始するか否かを決定する開始決定段階と、
上記１以上の負荷装置の少なくとも１つに対する上記見做し処理を終了するか否かを決定する終了決定段階と、
上記終了決定部により上記見做し処理を終了することが決定された負荷装置又は上記管理装置に対して、上記見做し処理が開始されてから上記見做し処理が終了されるまでの期間における、上記終了決定部により上記見做し処理を終了することが決定された負荷装置の消費電力量を決定するための処理を実行させるための要求を送信する要求送信部と、
を備える、
電力管理方法。
［項目２−１］
複数の電力供給装置又は複数の電力供給者から供給され、１以上の負荷装置により消費される電力量を計測する電力量計により計測される消費電力量の少なくとも一部を、上記複数の電力供給装置のうちの第１の電力供給装置又は上記複数の電力供給者のうちの第１の電力供給者により提供されるものとみなす見做し処理を開始するか否かを決定する開始決定部と、
上記見做し処理を終了するか否かを決定する終了決定部と、
上記電力量計又は上記電力量計を管理する管理装置に対して、上記見做し処理が開始されてから上記見做し処理が終了されるまでの期間における、上記１以上の負荷装置の消費電力量を決定するための処理を実行させるための要求を送信する要求送信部と、
を備え、
上記開始決定部は、上記第１の電力供給装置又は上記第１の電力供給者により提供可能な電力又は電力量に基づいて、上記見做し処理を開始するか否かを決定する、
電力管理システム。
［項目２−２］
上記消費電力量を決定するための処理は、
上記第１の電力供給装置又は上記第１の電力供給者から電気が提供されているとみなされていた期間における消費電力量を送信する処理、
上記開始決定部が上記見做し処理を開始することを決定した時点における積算消費電力量を送信する処理、
上記終了決定部が上記見做し処理を終了することを決定した時点における積算消費電力量を送信する処理、及び、
上記見做し処理が開始されてから上記見做し処理が終了されるまでの期間において、予め定められた時間間隔で積算消費電力量を送信する処理からなる群から選択される少なくとも１つの処理である、
項目２−１に記載の電力管理システム。
［項目２−３］
上記終了決定部は、上記電力量計の電源がＯＦＦになった場合、又は、上記電力量計により計測された消費電力量が予め定められた値よりも小さい場合に、上記見做し処理を終了することを決定する、
項目２−１又は項目２−２に記載の電力管理システム。
［項目２−４］
上記開始決定部は、上記電力量計のユーザが予め定められた商品又はサービスのユーザである場合に、上記電力量計により計測される消費電力量の少なくとも一部が上記第１の電力供給装置又は上記第１の電力供給者により提供されるものとして扱われる確率、及び、上記第１の電力供給装置又は上記第１の電力供給者により提供されるものとして扱われる消費電力量の少なくとも一方が大きくなるように、上記見做し処理を開始するか否かを決定する、
項目２−１から項目２−３までの何れか一項に記載の電力管理システム。
［項目２−５］
通信ネットワークを介して、電源がＯＮになっている１以上の負荷装置又は上記１以上の負荷装置の電力消費状況を管理する管理装置から、上記１以上の負荷装置のそれぞれの識別情報を取得する情報取得部と、
上記第１の電力供給装置又は上記第１の電力供給者により提供可能な電力又は電力量に基づいて、上記識別情報により識別される上記１以上の負荷装置の中から、上記第１の電力供給装置又は上記第１の電力供給者により電気を提供されるものとして扱われうる少なくとも１つの負荷装置を選定する選定部と、
をさらに備え、
上記開始決定部は、さらに、
上記電力量計の見做し処理が実施されている場合、上記選定部により選定された負荷装置のうち、上記電力量計により消費電力量を計測されていない負荷装置の少なくとも１つにおいて消費される電力又は電力量を、上記第１の電力供給装置又は上記第１の電力供給者により提供されるものとして扱うことを決定し、
上記電力量計の見做し処理が実施されていない場合、上記選定部により選定された負荷装置の少なくとも１つにおいて消費される電力又は電力量を、上記第１の電力供給装置又は上記第１の電力供給者により提供されるものとして扱うことを決定する、
項目２−１から項目２−４までの何れか一項に記載の電力管理システム。
［項目２−６］
上記情報取得部は、上記１以上の負荷装置の少なくとも１つの電源がＯＦＦになった場合に、電源がＯＦＦになった負荷装置の識別情報を取得し、
上記終了決定部は、上記電源がＯＦＦになった負荷装置の識別情報により識別される負荷装置において消費される電力又は電力量を、上記第１の電力供給装置又は上記第１の電力供給者により提供されるものとして扱わないことを決定する、
項目２−５に記載の電力管理システム。
［項目２−７］
上記管理装置を更に備える、
項目２−５又は項目２−６に記載の電力管理システム。
［項目２−８］
上記第１の電力供給装置又は上記第１の電力供給者により提供可能な電力又は電力量は、上記第１の電力供給装置又は上記第１の電力供給者が、他の電力供給装置又は他の電力供給者から調達可能な電力又は電力量を含む、
項目２−１から項目２−７までの何れか一項に記載の電力管理システム。
［項目２−９］
コンピュータを、項目２−１から項目２−８までの何れか一項に記載の電力管理システムとして機能させるためのプログラム。
［項目２−１０］
複数の電力供給装置又は複数の電力供給者から供給され、１以上の負荷装置により消費される電力量を計測する電力量計により計測される消費電力量の少なくとも一部を、上記複数の電力供給装置のうちの第１の電力供給装置又は上記複数の電力供給者のうちの第１の電力供給者により提供されるものとみなす見做し処理を開始するか否かを決定する開始決定段階と、
上記見做し処理を終了するか否かを決定する終了決定段階と、
上記電力量計又は上記電力量計を管理する管理装置に対して、上記見做し処理が開始されてから上記見做し処理が終了されるまでの期間における、上記１以上の負荷装置の消費電力量を決定するための処理を実行させるための要求を送信する要求送信段階と、
を備え、
上記開始決定段階は、上記第１の電力供給装置又は上記第１の電力供給者により提供可能な電力又は電力量に基づいて、上記見做し処理を開始するか否かを決定する段階を有する、
電力管理方法。
【符号の説明】
【０２４２】
１２  通信ネットワーク、  １４  電力ネットワーク、  ２０  認証サーバ、  ４０  携帯端末、  １００  管理システム、  １０２  供給者サイト、  １０４  需要者サイト、  １２２  管理サーバ、  １２４  電力供給装置、  １３２  電気機器、  １３４  電気機器、  １４２  分電装置、  １４４  電力量計、  １５２  需要者端末、  １５４  ゲートウェイ、  ２１２  供給量予測部、  ２１４  機器情報取得部、  ２１６  電力提供管理部、  ２１８  要求送信部、  ２２２  利用履歴生成部、  ２２４  情報格納部、  ２２６  電力融通部、  ２２８  配信部、  ３１２  イベント検出部、  ３１４  選定部、  ３１６  開始決定部、  ３１８  終了決定部、  ３３２  エントリ機器リスト、  ３３４  電力提供機器リスト、  ３３６  機器情報データベース、  ３３８  選定条件、  ４１２  情報収集部、  ４１４  広告情報格納部、  ４１６  抽出部、  ４１８  広告送信部、  ５１２  要求受信部、  ５１４  要求処理部、  ５１６  負荷管理部、  ５１８  消費電力格納部、  ５２２  イベント監視部、  ５２４  制御信号送信部、  ５２６  非常用電源、  ５３２  認証情報取得部、  ６００  データテーブル、  ６０２  需要者ＩＤ、  ６０４  機器ＩＤ、  ６０６  状態、  ６０８  提供状況、  ６１０  時刻、  ６１２  時刻、  ７００  データテーブル、  ７０２  需要者ＩＤ、  ７０４  機器ＩＤ、  ７０６  開始時刻、  ７０８  終了時刻、  ７１０  電力量、  ７１２  単価、  ８００  データテーブル、  ８０２  需要者ＩＤ、  ８０４  機器ＩＤ、  ８０６  時刻、  ９００  データテーブル、  ９０２  需要者ＩＤ、  ９０４  機器ＩＤ、  ９０６  開始時刻、  １０００  データテーブル、  １００２  需要者ＩＤ、  １００４  機器ＩＤ、  １００６  仕様情報、  １００８  統計情報、  １０１０  電力量計ＩＤ、  １０６２  製造者、  １０６４  型番、  １０６６  定格消費電力、  １０８２  平均消費電力、  １０８４  平均利用時間、  １０８６  利用確率、  １２００  データテーブル、  １２０２  需要者ＩＤ、  １２０４  機器ＩＤ、  １２０６  開始時刻、  １２０８  終了時刻、  １２１０  供給者ＩＤ、  １２１２  電力量、１２１４  消費電力量、  １３１２  端末監視部、  １３１４  消費電力量監視部、  １３１６  電気料金監視部、  １４１２  制御信号格納部、  １４１４  制御信号選択部、  １５１２  認証ＩＤ取得部、  １５１４  暗証情報取得部、  １５１６  認証情報通信部、  １６００  データテーブル、  １６１２  需要者ＩＤ、  １６１４  需要者端末ＩＤ、  １６１６  携帯端末ＩＤ、  １６１８  今月の消費電力量、  １６２０  電気料金、  １６２２  前払金残高、  １８００  データテーブル、  １８０２  供給者ＩＤ、  １８０４  需要者ＩＤ、  １８０６  開始時刻、  １８０８  終了時刻、  １８１０  電力量、  １８１２  単価、  １８１４  電池残量、  １８１６  平均購入単価  １８１６
【要約】      （修正有）【課題】電力供給者から供給される電力を電気機器に供給する分電装置を制御することができる管理装置、管理システム、プログラム及び管理方法を提供する。【解決手段】予め定められたイベントを検知するイベント監視部５２２と、イベント監視部５２２が予め定められたイベントを検知した場合に、電力供給者から供給される電力を１以上の負荷装置に供給する分電装置から、１以上の負荷装置に供給される電力を制限することを指示する制限信号を、分電装置又は分電装置を制御する制御装置に送信する制御信号送信部５２４とを備える。【選択図】図５【図１】
0005753307.tif 000002
【図２】
0005753307.tif 000003
【図３】
0005753307.tif 000004
【図４】
0005753307.tif 000005
【図５】
0005753307.tif 000006
【図６】
0005753307.tif 000007
【図７】
0005753307.tif 000008
【図８】
0005753307.tif 000009
【図９】
0005753307.tif 000010
【図１０】
0005753307.tif 000011
【図１１】
0005753307.tif 000012
【図１２】
0005753307.tif 000013
【図１３】
0005753307.tif 000014
【図１４】
0005753307.tif 000015
【図１５】
0005753307.tif 000016
【図１６】
0005753307.tif 000017
【図１７】
0005753307.tif 000018
【図１８】
0005753307.tif 000019